(57)【要約】【課題】遊技媒体の貸出レートの変更が行われる場合に、貸出レート変更後の遊技店の運営及び管理に係るコストの増加を抑制しつつ、貸出レート変更前の貯遊技媒体を適切かつ効率的に処置することを課題とする。【解決手段】遊技媒体の貸出レートの変更時に、変更後の貸出レートに対応する貯遊技媒体口座と、変更前の貸出レートに対応する景品交換用の貯遊技媒体口座と、景品交換用の貯遊技媒体口座から変更後の貸出レートに対応する貯遊技媒体口座に移行する際に発生する端数を取り扱う端数取扱用の貯遊技媒体口座とを設けて、貸出レート変更前の貯遊技媒体を変更前の貸出レートに対応した景品交換用の貯遊技媒体口座に移動するようにした。また、所定の移行期間を設けて景品交換用の貯遊技媒体口座に移動された遊技媒体を貸出レートに応じて等価となるように変更後の貸出レートに対応する貯遊技媒体口座及び端数取扱用の貯遊技媒体口座に移行できるようにして、所定の移行期間経過後には景品交換用の貯遊技媒体口座を削除するようにした。【選択図】図１
2015173840.tif 000002
【特許請求の範囲】
【請求項１】
遊技媒体の種類と遊技媒体の貸出単価とに応じた遊技種ごとに遊技客から預かった遊技媒体数を管理する遊技媒体管理システムであって、
前記遊技客及び前記遊技種ごとに前記遊技客から預かった遊技媒体の数を遊技種に対応付けた口座の残高として管理する口座残高管理手段と、
前記遊技媒体の貸出単価が変更になる第一の遊技種の遊技媒体の種類と、前記第一の遊技種の変更前の貸出単価で特徴づけられる第二の遊技種の追加／登録を行う遊技種追加登録手段と、
前記遊技種追加登録手段によって追加／登録した第二の遊技種の口座に、前記口座残高管理手段によって管理する前記遊技媒体の貸出単価の変更前の第一の遊技種の口座の残高を移動する残高移動手段と、
前記第一の遊技種の貸出単価の変更を行う貸出単価変更手段と
を備えたことを特徴とする遊技媒体管理システム。
【請求項２】
前記遊技媒体を使用して遊技を行う遊技機に併設される各台装置において前記口座残高管理手段で管理する口座の残高を減算して、減算した数に応じた前記遊技媒体を使用可能な状態にする各台装置遊技媒体使用可能化手段をさらに備え、
前記各台装置遊技媒体使用可能化手段は、前記遊技種追加登録手段で追加された第二の遊技種に対応する口座の残高を用いて前記遊技媒体を使用可能な状態にすることが制限される
ことを特徴とする請求項１に記載の遊技媒体管理システム。
【請求項３】
前記口座残高管理手段によって管理する口座の残高を減算して、減算した数に応じた価値の景品を前記遊技客に引き渡す景品交換を行う景品交換手段をさらに備え、
前記景品交換手段は、前記遊技種追加登録手段で追加された第二の遊技種に対応する口座の残高を前記景品交換に使用することができる
ことを特徴とする請求項１又は２に記載の遊技媒体管理システム。
【請求項４】
前記第二の遊技種に対応する口座の残高を同じ遊技客の前記第一の遊技種に対応する口座を含めた他の口座に移行する口座移行手段をさらに備えたことを特徴とする請求項１、２又は３に記載の遊技媒体管理システム。
【請求項５】
前記貸出単価変更手段によって前記第一の遊技種の貸出単価の変更を実施してから所定の期間の経過後に、全ての前記遊技客の前記第二の遊技種に対応する口座の残高を無効化する口座残高無効化手段をさらに備えたことを特徴とする請求項１〜４のいずれか一つに記載の遊技媒体管理システム。
【請求項６】
前記口座移行手段は、前記第二の遊技種に対応する口座の残高と価値が等しくなる移行先の口座における残高である換算数を、それぞれの口座に対応する遊技種の前記遊技媒体の貸出単価に基づいて算出して、前記換算数が整数とならない場合には、前記換算数を小数点以下の値を含む非整数換算数と、小数点以下がゼロの整数換算数に分けて、前記整数換算数を移行先の口座の残高に加算し、前記非整数換算数に対応する価値は別の端数移行用の口座の残高に反映することを特徴とする請求項４又は５に記載の遊技媒体管理システム。
【請求項７】
前記口座残高管理手段によって管理される口座を有する遊技客に対して、前記残高移動手段による第一の遊技種の口座の残高の移動や前記貸出単価変更手段による前記第一の遊技種の貸出単価の変更が行われる以前に、前記残高移動手段による前記第一の遊技種の口座の残高の移動に係る情報及び前記貸出単価変更手段による変更に係る情報を報知する事前報知手段をさらに備えたことを特徴とする請求項１〜６のいずれか一つに記載の遊技媒体管理システム。
【請求項８】
前記口座残高管理手段によって管理される口座を有する遊技客に対して、前記残高移動手段による前記第一の遊技種の口座の残高の移動や前記貸出単価変更手段による前記第一の遊技種の貸出単価の変更が行われた後に、前記残高移動手段による前記第一の遊技種の口座の残高の移動に係る情報、前記貸出単価変更手段による変更に係る情報、及び前記口座残高無効化手段によって前記第二の遊技種に対応する口座の残高を無効化する時期に係る情報を報知する事後報知手段をさらに備えたことを特徴とする請求項１〜７のいずれか一つに記載の遊技媒体管理システム。
【請求項９】
前記事前報知手段による報知の実績と、前記事後報知手段による報知の実績とを前記遊技客に関連付けて管理する報知実績管理手段をさらに備えたことを特徴とする請求項７又は８に記載の遊技媒体管理システム。
【請求項１０】
遊技媒体の種類と遊技媒体の貸出単価とに応じた遊技種ごとに遊技客から預かった遊技媒体数を管理する遊技媒体管理方法であって、
前記遊技客及び前記遊技種ごとに前記遊技客から預かった遊技媒体の数を遊技種に対応付けた口座の残高として管理する口座残高管理ステップと、
前記遊技媒体の貸出単価が変更になる第一の遊技種の遊技媒体の種類と、前記第一の遊技種の変更前の貸出単価で特徴づけられる第二の遊技種の追加／登録を行う遊技種追加登録ステップと、
前記遊技種追加登録ステップによって追加／登録した第二の遊技種の口座に、前記口座残高管理ステップによって管理する前記遊技媒体の貸出単価の変更前の第一の遊技種の口座の残高を移動する残高移動ステップと、
前記第一の遊技種の貸出単価の変更を行う貸出単価変更ステップと
を含んだことを特徴とする遊技媒体管理方法。
【発明の詳細な説明】
【技術分野】
【０００１】
この発明は、遊技客から預かった遊技媒体の数を貯遊技媒体の残高として管理し、当該貯遊技媒体の残高を減算して減算した残高に応じて遊技に使用する遊技媒体を払い出したり、減算した残高に応じた景品を引き渡す景品交換を行う遊技媒体管理システム及び遊技媒体管理方法に関する。
【背景技術】
【０００２】
従来、パチンコ店等の遊技店では、遊技に使用する遊技媒体の貸出レートが異なる複数の遊技種の遊技のサービスを提供している場合に、遊技種ごとに預けられた遊技媒体の数を貯遊技媒体口座の残高として管理を行うとともに、遊技種の異なる貯遊技媒体口座間で残高の振替を行う技術が知られている。
【０００３】
例えば、特許文献１には、遊技客の識別情報に対応付けて複数の遊技種に対応する貯遊技媒体口座を管理して、遊技客からの振替元の貯遊技媒体口座と、振り替える貯遊技媒体数と、振替先の貯遊技媒体口座とを含む貯遊技媒体振替要求を受け付けると貯遊技媒体の口座間の振替を行う技術が開示されている。
【０００４】
また、複数の遊技種の遊技のサービスを提供している店舗においては、貯遊技媒体の残高を減算して減算した残高に応じて遊技に使用する遊技媒体の払出である貯遊技媒体の再プレイや、貯遊技媒体の残高を減算して減算した残高に応じた景品を引き渡す景品交換を行う際に、複数ある貯遊技媒体口座の中から使用する貯遊技媒体口座を選択するときの操作性を向上させることのできる技術も知られている。
【０００５】
例えば、特許文献２には、複数の遊技種ごとに貯遊技媒体の残高を管理している場合には、貯遊技媒体再プレイで貯遊技媒体を使用する場合に、遊技中の遊技で貯遊技媒体再プレイに利用可能な貯遊技媒体口座に関する情報しか表示しないようにしたり、景品交換時に貯遊技媒体口座を選択する場合には、貯遊技媒体口座の状況に応じて決定される優先度に従って優先される貯遊技媒体口座を異なる表示形態で表示して優先度を表現する技術が開示されている。
【０００６】
また、複数の遊技種の遊技のサービスを提供している店舗において、遊技客から遊技媒体を預かって遊技媒体の払出や景品交換に当日中に限り利用可能な遊技種ごとに管理する持遊技媒体と、遊技客から遊技媒体を預かって遊技媒体の払出や景品交換に翌日以降も利用可能な遊技種ごとに管理する貯遊技媒体を、それぞれ別の管理装置で管理する場合に、管理装置ごとの遊技種の設定の不整合を検知したり、不整合を検知した場合に不整合を修復する技術も知られている。
【０００７】
例えば、特許文献３には、持遊技媒体と貯遊技媒体を別の管理装置で管理している場合に、一方の管理装置が他方の管理装置の遊技種の識別情報と当該遊技種の識別情報に関連付けられた遊技種の内容を示す情報を取得して、識別情報ごとの遊技種の内容に関する整合性の確認を行い、不整合がある場合には取得した遊技種の識別情報に準じて整合性が取れるように管理装置の情報構成を更新するという技術が開示されている。
【０００８】
このように特許文献１、２及び３に開示された技術を用いると、複数の遊技種の遊技のサービスを提供している店舗において、遊技種ごとに預けられた遊技媒体を遊技種ごとの口座で管理するにあたって、異なる遊技種に対応する貯遊技媒体口座間で残高の振替が行えることによる遊技客の利便性の向上、貯遊技媒体口座からの遊技媒体の払出や景品交換などの場面における遊技客の操作性の向上、複数の管理装置間で遊技種に関する設定が不整合を検知して修復することができることからシステムの運用負荷の軽減をすることができる。
【先行技術文献】
【特許文献】
【０００９】
【特許文献１】特開２０１３−３１７６８号公報
【特許文献１】特開２０１３−１８３９５３号公報
【特許文献１】特開２０１３−２４４３５８号公報
【発明の概要】
【発明が解決しようとする課題】
【００１０】
しかしながら、消費税率の変更などの要因によって現在の遊技媒体の貸出レートを変更するような事態になった場合に、遊技媒体の貸出レートの変更前に遊技種ごとに管理している貯遊技媒体の扱いをどのようにすればよいのかという問題がある。
【００１１】
これについて詳しく説明する。例えば、現状２円／玉、１円／玉及び０．５円／玉の貸出レートの遊技種の遊技を提供している状況において、消費税が８％に変更になることを契機にして消費税分を外税とする場合には、貸出レートがそれぞれ２．１６円／玉、１．０８円／玉及び０．５４円／玉に変更になる。その場合に、例えば２円／玉の遊技種の貯遊技媒体が１００玉有している状態で、遊技媒体の貸出レートを２．１６円／玉に変更する場合に、貸出レート変更前の２円／玉の遊技種の貯遊技媒体１００玉を、貸出レート変更後の２．１６円／玉の遊技種の貯遊技媒体１００玉として移行してしまうと、移行後の貯遊技媒体の価値が上がってしまい遊技店が損をすることとなってしまう。また、貯遊技媒体数で調整して移行後の価値が等価になるようにすると、２円／玉の遊技媒体数が１００玉は、２．１６円／玉の遊技媒体数９２．５９・・・となってしまい、四捨五入などで整数化した場合には等価ではなくなってしまう。
【００１２】
また、貸出レート変更前の２円／玉の遊技種の貯遊技媒体が１００玉は貸出レート変更後の２．１６円／玉の遊技種の貯遊技媒体に移行せずに、貸出レート変更前の２円／玉の遊技種の貯遊技媒体のリストを出力しておいて、個別に景品交換を行って当該リストを消し込んでいくということも可能ではあるが、景品交換が非効率になることによる運営コスト増加を招いてしまうだけではなく、ミスや不正に対して脆弱な対応となってしまう。
【００１３】
このように、遊技媒体の貸出レートをどのように変更したとしても遊技店の非効率を回避し、運営及び管理コストの増加を抑制しつつ、遊技店及び遊技客の不利益を回避することは重要な課題である。
【００１４】
本発明は、上述した従来技術の課題を解決するためのものであって、遊技媒体の貸出レートの変更が行われる場合に、貸出レート変更後の遊技店の運営及び管理に係るコストの増加を抑制しつつ、貸出レート変更前の貯遊技媒体を適切かつ効率的に処置することができる遊技媒体管理システム及び遊技媒体管理方法を提供することを目的とする。
【課題を解決するための手段】
【００１５】
上述した課題を解決し、目的を達成するため、本発明は、遊技媒体の種類と遊技媒体の貸出単価とに応じた遊技種ごとに遊技客から預かった遊技媒体数を管理する遊技媒体管理システムであって、前記遊技客及び前記遊技種ごとに前記遊技客から預かった遊技媒体の数を遊技種に対応付けた口座の残高として管理する口座残高管理手段と、前記遊技媒体の貸出単価が変更になる第一の遊技種の遊技媒体の種類と、前記第一の遊技種の変更前の貸出単価で特徴づけられる第二の遊技種の追加／登録を行う遊技種追加登録手段と、前記遊技種追加登録手段によって追加／登録した第二の遊技種の口座に、前記口座残高管理手段によって管理する前記遊技媒体の貸出単価の変更前の第一の遊技種の口座の残高を移動する残高移動手段と、前記第一の遊技種の貸出単価の変更を行う貸出単価変更手段とを備えたことを特徴とする。
【００１６】
また、本発明は、上記発明において、前記遊技媒体を使用して遊技を行う遊技機に併設される各台装置において前記口座残高管理手段で管理する口座の残高を減算して、減算した数に応じた前記遊技媒体を使用可能な状態にする各台装置遊技媒体使用可能化手段をさらに備え、前記各台装置遊技媒体使用可能化手段は、前記遊技種追加登録手段で追加された第二の遊技種に対応する口座の残高を用いて前記遊技媒体を使用可能な状態にすることが制限されることを特徴とする。
【００１７】
また、本発明は、上記発明において、前記口座残高管理手段によって管理する口座の残高を減算して、減算した数に応じた価値の景品を前記遊技客に引き渡す景品交換を行う景品交換手段をさらに備え、前記景品交換手段は、前記遊技種追加登録手段で追加された第二の遊技種に対応する口座の残高を前記景品交換に使用することができることを特徴とする。
【００１８】
また、本発明は、上記発明において、前記第二の遊技種に対応する口座の残高を同じ遊技客の前記第一の遊技種に対応する口座を含めた他の口座に移行する口座移行手段をさらに備えたことを特徴とする。
【００１９】
また、本発明は、上記発明において、前記貸出単価変更手段によって前記第一の遊技種の貸出単価の変更を実施してから所定の期間の経過後に、全ての前記遊技客の前記第二の遊技種に対応する口座の残高を無効化する口座残高無効化手段をさらに備えたことを特徴とする。
【００２０】
また、本発明は、上記発明において、前記口座移行手段は、前記第二の遊技種に対応する口座の残高と価値が等しくなる移行先の口座における残高である換算数を、それぞれの口座に対応する遊技種の前記遊技媒体の貸出単価に基づいて算出して、前記換算数が整数とならない場合には、前記換算数を小数点以下の値を含む非整数換算数と、小数点以下がゼロの整数換算数に分けて、前記整数換算数を移行先の口座の残高に加算し、前記非整数換算数に対応する価値は別の端数移行用の口座の残高に反映することを特徴とする。
【００２１】
また、本発明は、上記発明において、前記口座残高管理手段によって管理される口座を有する遊技客に対して、前記残高移動手段による第一の遊技種の口座の残高の移動や前記貸出単価変更手段による前記第一の遊技種の貸出単価の変更が行われる以前に、前記残高移動手段による前記第一の遊技種の口座の残高の移動に係る情報及び前記貸出単価変更手段による変更に係る情報を報知する事前報知手段をさらに備えたことを特徴とする。
【００２２】
また、本発明は、上記発明において、前記口座残高管理手段によって管理される口座を有する遊技客に対して、前記残高移動手段による前記第一の遊技種の口座の残高の移動や前記貸出単価変更手段による前記第一の遊技種の貸出単価の変更が行われた後に、前記残高移動手段による前記第一の遊技種の口座の残高の移動に係る情報、前記貸出単価変更手段による変更に係る情報、及び前記口座残高無効化手段によって前記第二の遊技種に対応する口座の残高を無効化する時期に係る情報を報知する事後報知手段をさらに備えたことを特徴とする。
【００２３】
また、本発明は、上記発明において、前記事前報知手段による報知の実績と、前記事後報知手段による報知の実績とを前記遊技客に関連付けて管理する報知実績管理手段をさらに備えたことを特徴とする。
【００２４】
また、本発明は、遊技媒体の種類と遊技媒体の貸出単価とに応じた遊技種ごとに遊技客から預かった遊技媒体数を管理する遊技媒体管理方法であって、前記遊技客及び前記遊技種ごとに前記遊技客から預かった遊技媒体の数を遊技種に対応付けた口座の残高として管理する口座残高管理ステップと、前記遊技媒体の貸出単価が変更になる第一の遊技種の遊技媒体の種類と、前記第一の遊技種の変更前の貸出単価で特徴づけられる第二の遊技種の追加／登録を行う遊技種追加登録ステップと、前記遊技種追加登録ステップによって追加／登録した第二の遊技種の口座に、前記口座残高管理ステップによって管理する前記遊技媒体の貸出単価の変更前の第一の遊技種の口座の残高を移動する残高移動ステップと、前記第一の遊技種の貸出単価の変更を行う貸出単価変更ステップとを含んだことを特徴とする。
【発明の効果】
【００２５】
本発明によれば、遊技客及び遊技媒体の種類と遊技媒体の貸出単価とに応じた遊技種ごとに遊技客から預かった遊技媒体の数を遊技種に対応付けた口座の残高として管理し、遊技媒体の貸出単価が変更になる第一の遊技種の遊技媒体の種類と、第一の遊技種の変更前の貸出単価で特徴づけられる第二の遊技種の追加／登録を行い、追加／登録した第二の遊技種の口座に、遊技媒体の貸出単価の変更前の第一の遊技種の口座の残高を移動し、第一の遊技種の貸出単価の変更を行うよう構成したので、遊技媒体の貸出レートの変更が行われる場合に、貸出レート変更後の遊技店の運営及び管理に係るコストの増加を抑制しつつ、貸出レート変更前の貯遊技媒体を適切かつ効率的に処置することができる。
【図面の簡単な説明】
【００２６】
【図１】図１は、本実施例に係る遊技玉貸出レートの変更に伴う貯玉の移行に係る処理の概要を説明するための説明図である。
【図２】図２は、本実施例に係る遊技媒体貸出システムのシステム構成を示す図である。
【図３】図３は、遊技媒体の貸出レートの変更の前後における持遊技媒体口座及び貯遊技媒体口座の設定変更の内容について説明するための図である。
【図４】図４は、遊技媒体の貸出レートの変更時の貯遊技媒体口座の残高の移動の内容について説明するための図である。
【図５】図５は、遊技媒体の貸出レートの変更時に移動した貯遊技媒体の遊技可能な遊技種の貯遊技媒体口座への移行の内容について説明するための図である。
【図６】図６は、図２に示した台間カード処理機の外観構成を示す図である。
【図７】図７は、図２に示した台間カード処理機の本実施例に係る内部構成を示すブロック図である。
【図８】図８は、図２に示した台間カード処理機の本実施例に係るデータ構成について説明するための図である。
【図９】図９は、図２に示した台間カード処理機の本実施例に係る画面表示内容を説明するための図である。
【図１０】図１０は、図２に示したカード管理装置の内部構成を示すブロック図である。
【図１１】図１１は、図２に示したカード管理装置の本実施例に係るデータ構成について説明するための図である。
【図１２】図１２は、図２に示した会員管理装置の本実施例に係る内部構成を示すブロック図である。
【図１３】図１３は、図２に示した会員管理装置の本実施例に係るデータ構成について説明するための説明図（その１）である。
【図１４】図１４は、図２に示した会員管理装置の本実施例に係るデータ構成について説明するための説明図（その２）である。
【図１５】図１５は、図２に示した景品管理装置の外観構成を示す図である。
【図１６】図１６は、図２に示した景品管理装置の本実施例に係る内部構成を示すブロック図である。
【図１７】図１７は、図２に示した会員管理装置における遊技媒体貸出レートの変更に伴う貯遊技媒体の移動処理の処理手順を示すフローチャートである。
【図１８】図１８は、図２に示した台間カード処理機及び会員管理装置における遊技媒体の貸出レートの変更時に移動した貯遊技媒体の遊技可能な遊技種の貯遊技媒体口座への移行処理の処理手順を示すフローチャートである。
【発明を実施するための形態】
【００２７】
以下に、添付図面を参照して、本発明に係る遊技媒体管理システム及び遊技媒体管理方法の好適な実施例を詳細に説明する。
【実施例】
【００２８】
まず、本実施例に係る遊技玉貸出レートの変更に伴う貯玉の移行に係る処理の概要を、図１を用いて説明する。消費税率の変更などにともなって遊技玉の貸出レートが変更になる場合には、遊技玉の貸出レートの変更前と変更後では単位当たりの遊技玉価値が異なるので、遊技玉の貸出レートの変更前に預けておいた貯玉を貸出レートの変更後の遊技玉として払い出すわけにはいかない。図１は、このように消費税率の変更などにともなって遊技玉の貸出レートが変更になった場合に、変更前の貸出レートに対応する貯玉を変更後の貸出レートに対応する貯玉に移行する処理の概要を説明するための図である。また、図１は、消費税率変更前は２円／玉、１円／玉及び０．５円／玉の貸出レートの３種類の遊技を提供していて、消費税が８％に変更になるタイミング（ｔ３）において、２円／玉の貸出レートが２．１６円／玉、１円／玉の貸出レートが１．０８円／玉、０．５円／玉の貸出レートが０．５４円／玉に変更になった場合の例である。
【００２９】
まず、ｔ１の時点においては、遊技玉の貸出レートが２円／玉、１円／玉及び０．５円／玉の３種類の遊技がサービスされており、それぞれの遊技種に対応した貯玉口座が管理されており、会員は当該貯玉口座に獲得した遊技玉を預けて、後日それを利用して貯玉再プレイや景品交換を行うことができる。図１は、ｔ１の時点では遊技客は２円／玉レートの貯玉口座に５００玉、１円／玉レートの貯玉口座に８００玉の貯玉を有していることを示している。また、図１は、当該遊技客がｔ２の時点で来店して遊技を行って貸出レートが２円／玉の遊技種の遊技で１５００玉を貯玉に追加して、貯玉を２０００玉に増やしていったことを示している。また、ｔ２の時点で、遊技客に対して遊技玉の貸出レートが変更となる日程と、遊技玉の貸出レートが変更後の現在の貯玉の扱いに係る情報の表示を行う。図１に示す例では、４／１に遊技玉の貸出レートの変更が行われ、これにともなって現在の貯玉は景品交換用の貯玉口座に移動される旨のメッセージの表示が行われることを示している。
【００３０】
消費税率が８％になる前営業日の営業終了以降、消費税率が８％となった最初の営業日の営業開始以前のタイミング（ｔ３）において、既存の貯玉口座に対応する貸出レートの変更と、旧貸出レートに対応する景品交換用貯玉口座及び端数取扱用の貯玉口座とを生成する。端数取扱用の貯玉口座とは、旧貸出レートに対応する景品交換用貯玉口座から新たな遊技玉の貸出レートに対応する貯玉口座へ遊技玉を移行する場合に、端数となってしまった玉数を扱う貯玉口座である。具体的には既存の貸出レートが２円／玉、１円／玉、０．５円／玉の貯玉口座の貸出レートが、それぞれ２．１６円／玉、１．０８円／玉、０．５４円／玉に変更される。また、旧貸出レートに対応する景品交換用の貯玉口座として貸出レートが２円／玉、１円／玉、０．５円／玉の貯玉口座が設けられる。また、０．５円／玉の貯玉口座については、端数取扱用貯玉口座を兼ねる。
【００３１】
また、ｔ３のタイミングにおいて、遊技玉の貸出レート変更前の２円／玉、１円／玉、０．５円／玉の旧貯玉口座の残高は、それぞれ新たに生成された景品交換用の２円／玉、１円／玉、０．５円／玉の貯玉口座に移動される。この貯玉の移動によって、景品交換用の２円／玉の貯玉口座残高は２０００玉となり、１円／玉の貯玉口座残高は８００玉となる。また、ｔ３のタイミングにおいては、貸出レートの変更された２．１６円／玉、１．０８円／玉、０．５４円／玉に対応する貯玉口座についてはゼロに初期化される。
【００３２】
消費税率が８％になることにともなって遊技媒体の貸出レートが変更になってから、景品交換用の貯玉口座に残高のある遊技客の来店を検知したならば、遊技客に遊技玉の貸出レートの変更に伴って旧レートの貯玉が景品交換用の口座に移行済みであることと、当該景品交換用の貯玉の有効期限と、景品交換カウンタへ立ち寄ることのメッセージとを報知する。
【００３３】
景品交換カウンタでは、景品交換用の貯玉口座の残高を使用して景品交換を行うこともできるが、貯玉再プレイによって遊技玉の払出の可能な変更後の遊技玉の貸出レートに対応した貯玉口座に移行することも可能である。図１は、ｔ４のタイミングにおいて景品交換カウンタで、景品交換用の貯玉口座の残高を、変更後の遊技玉の貸出レートに対応した貯玉口座に移行したことを示す例である。図１に示すように、景品交換用の２円／玉の貯玉口座の２０００玉は、移行前の価値と等価となるように２．１６円／玉の貯玉口座の１８５０玉と、端数遊技玉を扱う０．５円／玉の貯玉口座の８玉とに移行される。また、景品交換用の１円／玉の貯玉口座の８００玉についても、移行前の価値と等価となるように１．０８円／玉の貯玉口座の７００玉と、端数遊技玉を扱う０．５円／玉の貯玉口座の８８玉とに移行される。このように景品交換用の貯玉口座の残高を、貯玉再プレイによって遊技玉の払出の可能な変更後の遊技玉の貸出レートに対応した貯玉口座に移行することによって、景品交換用の２円／玉の貯玉口座と、１円／玉の貯玉口座の残高はゼロとなり、２．１６円／玉の貯玉口座の残高が１８５０玉、１．０８円／玉の貯玉口座の残高が７００玉、０．５円／玉の端数遊技玉を扱う貯玉口座の残高が９６玉となる。
【００３４】
図１の例では、このように変更後の遊技玉の貸出レートに対応した貯玉口座に移行することによって景品交換用の貯玉口座の残高をゼロとしたが、景品交換用の貯玉口座の残高を使って景品交換することによって残高をゼロにしてもよい。このように景品交換用の貯玉口座に残高を有する遊技客が来店した場合には、景品交換カウンタに誘導して、景品交換若しくは変更後の遊技玉の貸出レートに対応した貯玉口座に移行することによって景品交換用の口座の有効期限までに景品交換用の貯玉口座に残高の処置を行う。
【００３５】
また、景品交換用貯玉口座は、遊技玉の貸出レートの変更時点（ｔ３）から、景品交換用貯玉口座の有効期限（ｔ５）までに限った時限措置であることから、その期間が経過した時点（ｔ５）で削除する。これによって、遊技店はサービスを行っていない遊技種の貯玉をいつまでも管理することによる非効率を回避することができる。
【００３６】
このように、遊技媒体の貸出レートの変更時に、変更後の貸出レートに対応する貯遊技媒体口座と、変更前の貸出レートに対応する景品交換用の貯遊技媒体口座と、景品交換用の貯遊技媒体口座から変更後の貸出レートに対応する貯遊技媒体口座に移行する際に発生する端数を取り扱う端数取扱用の貯遊技媒体口座とを設けて、貸出レート変更前の貯遊技媒体を変更前の貸出レートに対応した景品交換用の貯遊技媒体口座に移動するようにした。また、所定の移行期間を設けて景品交換用の貯遊技媒体口座に移動された遊技媒体を貸出レートに応じて等価となるように変更後の貸出レートに対応する貯遊技媒体口座及び端数取扱用の貯遊技媒体口座に移行できるようにして、所定の移行期間経過後には景品交換用の貯遊技媒体口座を削除するようにしたので、遊技媒体の貸出レートの変更が行われる場合に、貸出レート変更後の遊技店の運営及び管理に係るコストの増加を抑制しつつ、貸出レート変更前の貯遊技媒体を適切かつ効率的に処置することができる。
【００３７】
次に、本実施例に係る遊技媒体管理システムのシステム構成を説明する。図２は、本実施例に係る遊技媒体管理システムのシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００３８】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技領域には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００３９】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機２０の制御装置は、入賞領域ごとに何個の遊技玉を賞玉として付与するかを記憶する賞玉メモリを有している。
【００４０】
したがって、打ち込んだ遊技玉の特定の入賞領域への通過が入賞センサにより検知されると、賞玉メモリの記憶内容と、入賞領域を通過した遊技玉数から付与すべき賞玉数を決定し、決定した賞玉数の遊技玉が払い出される。
【００４１】
台間カード処理機１０は、入金の受付、遊技玉の貸出並びにカード管理装置４０との通信を行う。台間カード処理機１０は、遊技客が投入した紙幣を受け付けたならば、入金額を含む入金通知をカード管理装置４０に送信することで、受け付けた紙幣の価値をカード管理装置４０が管理するプリペイド価値に加算させる。そして、所定の玉貸操作がなされたならば、玉貸要求をカード管理装置４０に送信し、カード管理装置４０が管理するプリペイド価値を減算させて、減算したプリペイド価値分に対応する数の遊技玉を払い出す。
【００４２】
また、台間カード処理機１０は、カードの挿入を受け付けたならば、カード管理装置４０にカード挿入通知を送信する。また、台間カード処理機１０は、カード管理装置４０からプリペイド価値、持玉又は貯玉の残高を受信した場合には、該残高を記憶する。そして、持玉の残高を受信し、記憶した場合には、カード管理装置４０に対して持玉減算要求を送信することで、カード管理装置４０が管理する持玉の残高をゼロにクリアする。
【００４３】
また、台間カード処理機１０は、持玉再プレイ操作を受け付けると、自装置が管理する持玉数を所定数減算し、減算した持玉数に対応する数の遊技玉を払い出す。また、台間カード処理機１０は、貯玉再プレイ操作を受け付けると、カード管理装置４０に対して貯玉再プレイ要求を送信することで、会員管理装置５０が管理する貯玉数を所定数減算させ、減算させた貯玉数に対応する数の遊技玉を払い出す。
【００４４】
台間カード処理機１０は、カード返却操作を受け付けたならば、自装置が管理する持玉数を含む持玉加算要求をカード管理装置４０に送信し、カード管理装置４０に持玉を加算させた後、カード排出通知をカード管理装置４０に送信し、カードを排出制御する。
【００４５】
島コントローラ３０は、遊技島に設けられた一群の遊技機２０及び台間カード処理機１０を束ねる中継装置である。カード管理装置４０は、カードのプリペイド価値及び持玉数等をカードデータとして管理する管理装置である。
【００４６】
カード管理装置４０は、台間カード処理機１０からカード挿入通知を受信したならば、挿入されたカードのＩＤと台間カード処理機１０とを関連づけて管理し、該カードＩＤに関連づけられたプリペイド価値及び持玉の残高を台間カード処理機１０に送信する。また、カード挿入通知に示されたカードＩＤが会員カードのカードＩＤである場合には、カード挿入通知を会員管理装置５０に送信し、会員管理装置５０から受信した貯玉再プレイデータを台間カード処理機１０に送信する。
【００４７】
また、カード管理装置４０は、台間カード処理機１０から持玉減算要求を受信した場合には、持玉口座の残高をゼロにクリアし、台間カード処理機１０から持玉加算要求を受信した場合には、持玉加算要求に示された持玉数を持玉口座に加算する。
【００４８】
また、カード管理装置４０は、台間カード処理機１０から玉貸要求を受信した場合には、対応するプリペイド価値を所定値減算し、玉貸許可を台間カード処理機１０に送信する。また、カード管理装置４０は、貯玉再プレイ要求を受信した場合には、該貯玉再プレイ要求を会員管理装置５０に送信し、会員管理装置５０が貯玉再プレイデータを出力した場合には、貯玉再プレイデータを台間カード処理機１０に送信する。
【００４９】
また、カード管理装置４０は、景品管理装置６０からカードＩＤを受信したならば、このカードＩＤに関連付けられた持玉数を景品管理装置６０に対して通知する。さらに、精算機８０からカードＩＤを受信したならば、このカードＩＤに関連付けられたプリペイド価値を精算機８０に対して通知する。
【００５０】
会員管理装置５０は、遊技店に会員登録された会員の会員管理データ５５ａを管理する管理装置である。具体的には、会員に対して発行した会員カードＩＤに関連づけて、貯玉数、ポイント、暗証番号及び氏名等を管理する。
【００５１】
会員管理装置５０は、台間カード処理機１０からカード挿入通知を受信したならば、カード挿入通知に示されたカードＩＤに対応する貯玉口座の残高と暗証番号とを含む貯玉再プレイデータを台間カード処理機１０に送信する。また、会員管理装置５０は、台間カード処理機１０から貯玉再プレイ要求を受信したならば、貯玉再プレイ要求に示されたカードＩＤに関連づけられた貯玉口座の残高を所定数減算し、減算後の貯玉口座の残高を含む貯玉再プレイデータを台間カード処理機１０に送信する。なお、台間カード処理機１０と会員管理装置５０との通信は、カード管理装置４０を介して行なわれる。
【００５２】
また、会員管理装置５０は、景品管理装置６０から貯玉数の問い合わせを受けたならば、指定されたカードＩＤに対応する貯玉口座の残高を景品管理装置６０に通知する。
【００５３】
景品管理装置６０は、遊技店内の景品交換カウンタに併設された景品交換用の端末装置であり、獲得玉、貯玉及び持玉の景品交換処理を行う。この景品管理装置６０には、カードのカードＩＤを読み取るカードリーダ６７ａを備え、景品を払い出す景品払出装置が接続されている。景品管理装置６０は、カードリーダ６７ａがカードを受け付けた場合には、カードリーダ６７ａで読み取ったカードのカードＩＤをカード管理装置４０に送信して、該カードの持玉数を要求する。また、貯玉を景品交換する場合には、会員管理装置５０に対して貯玉数を要求する。
【００５４】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００５５】
次に、図２に示したシステムで玉貸を行う場合の玉貸処理について説明する。遊技客が台間カード処理機１０において玉貸操作を行うと、台間カード処理機１０は、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、玉貸要求とを含む。
【００５６】
カード管理装置４０は、玉貸要求を含む電文を受信すると、該電文内のカードＩＤに関連付けられたプリペイド価値を所定値減算して、玉貸許可を送信元の台間カード処理機１０に送信する。玉貸許可を受信した台間カード処理機１０は、減算したプリペイド価値に対応する数（例えば１２５玉）の遊技玉を払い出す。
【００５７】
次に、図２に示したシステムで持玉の再プレイを行う場合の持玉再プレイ処理について説明する。台間カード処理機１０は、一般カードあるいは会員カードの挿入を受け付けた場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、カード挿入通知とを含む。レートを特定するための情報は必須ではなく、台間カード処理機１０の識別情報から上位装置でレート情報を特定するようにしてもよいが、本実施例では便宜上電文に含めるものとする。
【００５８】
カード管理装置４０は、台間カード処理機１０からカード挿入通知を受信した場合には、該電文内のカードＩＤに関連付けられた各レートの持玉口座の残高を台間カード処理機１０に通知する。
【００５９】
台間カード処理機１０は、カード管理装置４０から受信した持玉の残高を記憶する。そして、カードＩＤ及びレートを特定する情報と、持玉減算要求とを含む電文をカード管理装置４０に送信する。カード管理装置４０は、持玉減算要求を受信した場合には、カードＩＤにより特定される各レートの持玉口座の残高をゼロにクリアする。台間カード処理機１０は、持玉再プレイ操作を受け付けた場合には、記憶した持玉の残高を所定数減算し、対応する数の遊技玉を払い出す。
【００６０】
台間カード処理機１０は、カード返却操作を受け付けた場合には、カード管理装置４０に対して持玉加算要求を含む電文を送信する。この電文は、排出するカードのカードＩＤと、送信元である台間カード処理機１０を特定するアドレス若しくは任意の識別情報と、台間カード処理機１０のレートを特定するための情報と、各レートの持玉の残高と持玉加算要求とを含む。
【００６１】
カード管理装置４０は、持玉加算要求を受け付けた場合には、該電文内のカードＩＤに関連付けられた各レートの持玉口座の残高を受信した残高の値に更新する。
【００６２】
その後、台間カード処理機１０は、カード管理装置４０にカード排出通知を送信し、カードを排出制御する。
【００６３】
次に、図２に示したシステムで貯玉の再プレイを行う場合の貯玉再プレイ処理について説明する。台間カード処理機１０は、会員カードを挿入された場合、若しくは会員カードとして使用可能な携帯端末からカードＩＤに対応する識別情報を読み取った場合に、カード管理装置４０のローカルアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するアドレス若しくは任意の識別情報と、台間カード処理機１０のレートを特定するための情報と、カード挿入通知とを含む。
【００６４】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯玉口座のうち、該電文により特定されたレートの貯玉口座の残高と、を含む貯玉再プレイデータを台間カード処理機１０に送信する。
【００６５】
台間カード処理機１０は、受信した貯玉再プレイデータを記憶し、貯玉再プレイデータに示された貯玉口座の残高が貯玉再プレイにおける遊技玉の払出単位数（貯玉再プレイ単位数。例えば１２５玉）以上である場合には貯玉再プレイ操作を受付可能とする。なお、ここでは、貯玉口座の残高が払出単位数以上である場合に貯玉再プレイ操作を受付可能とする場合について説明を行なったが、貯玉再プレイデータに貯玉再プレイ可能回数が示されているならば、貯玉再プレイ可能回数が１以上である場合に貯玉再プレイ操作を受け付け可能としてもよい。
【００６６】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するかを確認する。
【００６７】
台間カード処理機１０は、暗証番号が一致した場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、貯玉再プレイ要求とを含む。
【００６８】
カード管理装置４０は、貯玉再プレイ要求の電文を会員管理装置５０に送信する。会員管理装置５０は、貯玉再プレイ要求の電文を受信した場合には、該電文内のカードＩＤに関連付けられた貯玉口座のうち、該電文により特定されたレートの貯玉口座の残高を所定値減算し、減算後の残高を含む貯玉再プレイデータを台間カード処理機１０に送信する。
【００６９】
台間カード処理機１０は、貯玉再プレイデータを受信して貯玉口座の残高を更新し、遊技玉を貯玉再プレイ単位数だけ払い出す。また、更新後の貯玉口座の残高が貯玉再プレイ単位数未満となったかを判定し、貯玉再プレイ単位数未満となったならば、貯玉再プレイ操作を受け付け不能とする。更新後の貯玉口座の残高が貯玉再プレイ単位数以上であれば、再度貯玉再プレイ操作を受け付け可能であり、貯玉再プレイ操作を受け付けた場合には貯玉再プレイ要求を送信する。２回目以降の貯玉再プレイ操作では、暗証番号の確認は不要である。なお、暗証番号の確認を毎回行なうように設定してもよい。
【００７０】
次に、閉店処理における持玉からの貯玉への移行について説明する。カード管理装置４０は、閉店処理時にカード管理データ４５ａの持玉口座の残高を確認し、持玉の残高が「０」より大きい持玉口座が存在する場合には、該持玉口座の残高をカードＩＤ及びレートとともに会員管理装置５０に通知する。会員管理装置５０は、カードＩＤ及びレートにより特定される貯玉口座の残高に通知された持玉口座残高を加算して更新する。その後、カード管理装置４０は、該持玉口座の残高をゼロにクリアする。
【００７１】
次に、遊技媒体の貸出レートの変更の前後における持遊技媒体口座及び貯遊技媒体口座の設定変更の内容について図３を用いて説明する。
【００７２】
図３は、消費税率が８％に変更となるタイミングにおいて、これまで内税の扱いとしていたものを外税の扱いにすることによって遊技媒体の貸出レートを変更する場合を例として、遊技媒体の貸出レートの変更に対して、遊技種ごとの遊技媒体の貸出レート及び当該遊技種ごとの扱いが、（ａ）の遊技媒体の貸出レートの変更前と、（ｂ）の遊技媒体の貸出レートの変更時点と、（ｃ）の遊技媒体の貸出レートの変更から所定期間経過後とでどのように変遷するのかを示した図である。遊技種ごとの扱いには、遊技種ごとの持遊技媒体口座及び貯遊技媒体口座の有無と、遊技種ごとの台間カード処理機１０での持遊技媒体及び貯遊技媒体の再プレイの可否と（利用可否１）、遊技種ごとの再プレイ機での貯遊技媒体の再プレイの可否と（利用可否２）、遊技種ごとの持遊技媒体及び貯遊技媒体による景品交換の可否と（利用可否３）、遊技種ごとの他遊技種の貯遊技媒体口座への貯遊技媒体の移行の可否（移行可否）の情報を含む。また、前記の所定期間とは、遊技媒体の貸出レートの変更後の、貸出レート変更前の貯遊技媒体を移動させた景品交換用の貯遊技媒体口座の有効な期間を示す。
【００７３】
図３（ａ）に示す「遊技媒体貸出レート変更前」に対応する情報は、遊技媒体の貸出レートの変更前の遊技種ごとの遊技媒体の貸出レート及び当該遊技種ごとの扱いに係る情報である。図３（ａ）の例は、遊技種が「玉１」、「玉２」、「玉３」、「メダル１」及び「メダル２」の遊技は遊技媒体の貸出レートが「２．０円／玉」、「１．０円／玉」、「０．５円／玉」、「２０円／枚」、「５円／枚」の遊技に対応し、持遊技媒体口座、貯遊技媒体口座ともに存在し、台間カード処理機１０で持遊技媒体再プレイ、貯遊技媒体再プレイともに行うことが可能で、再プレイ機で貯遊技媒体再プレイを行うことが可能で、持遊技媒体、貯遊技媒体ともに景品交換が可能で、他の遊技種の口座に貯遊技媒体の移行はできないことを示している。また、図３（ａ）の例は、遊技種が「玉４」の遊技は遊技媒体の貸出レートが「４．０円／玉」の遊技に対応し、持遊技媒体口座はなく、貯遊技媒体口座は存在し、台間カード処理機１０で持遊技媒体再プレイ、貯遊技媒体再プレイともに行うことができなくて、再プレイ機では貯遊技媒体再プレイを行うことが可能で、貯遊技媒体は景品交換が可能で、他の遊技種の口座に貯遊技媒体の移行はできないことを示している。
【００７４】
図２で説明したようにカード管理装置４０において持遊技媒体を管理し、貯遊技媒体は会員管理装置５０で管理する。本実施例では、カード管理装置４０では遊技玉に対して３遊技種、メダルで２遊技種の持遊技媒体口座を管理することが可能なものとして、会員管理装置５０では遊技玉に対して７遊技種、メダルで５遊技種の貯遊技媒体口座を管理することが可能なものとして説明する。カード管理装置４０で管理することのできる持遊技媒体口座数と会員管理装置５０で管理することのできる貯遊技媒体口座数は、これに限定されるものではないが、カード管理装置４０で管理することの可能な持遊技媒体口座数が会員管理装置５０で管理することのできる貯遊技媒体口座数と比較してほとんどのケースにおいて少ないことから、本時実施例は、管理することのできる持遊技媒体口座数が管理することのできる貯遊技媒体口座数よりも小さい場合を前提としている。
【００７５】
図３（ｂ）に示す「遊技媒体貸出レート変更後（所定期間内）」に対応する情報は、遊技媒体の貸出レートの変更から所定期間内の遊技種ごとの遊技媒体の貸出レート及び当該遊技種ごとの扱いに係る情報である。図３（ｂ）の例は、遊技種が「玉１」、「玉２」、「玉３」、「メダル１」及び「メダル２」の遊技は遊技媒体の貸出レートが「２．１６円／玉」、「１．０８円／玉」、「０．５４円／玉」、「２１．６円／枚」、「５．４円／枚」の遊技に対応し、持遊技媒体口座、貯遊技媒体口座ともに存在し、台間カード処理機１０で持遊技媒体再プレイ、貯遊技媒体再プレイともに行うことが可能で、再プレイ機で貯遊技媒体再プレイを行うことが可能で、持遊技媒体、貯遊技媒体ともに景品交換が可能で、他の遊技種の口座に貯遊技媒体の移行はできないことを示している。
【００７６】
また、図３（ｂ）の例は、遊技種が「玉４」の遊技は遊技媒体の貸出レートが「４．０円／玉」の遊技に対応し、持遊技媒体口座はなく、貯遊技媒体口座は存在し、台間カード処理機１０で持遊技媒体再プレイ、貯遊技媒体再プレイともに行うことができなくて、再プレイ機では貯遊技媒体再プレイを行うことが可能で、貯遊技媒体の景品交換が可能で、他の遊技種の口座に貯遊技媒体の移行はできないことを示している。
【００７７】
また、図３（ｂ）の例は、遊技種が「玉５」の遊技は遊技媒体の貸出レートが「０．５円／玉」の遊技に対応し、持遊技媒体口座はなく、貯遊技媒体口座は存在し、台間カード処理機１０で持遊技媒体再プレイ、貯遊技媒体再プレイともに行うことができなくて、再プレイ機では貯遊技媒体再プレイを行うことが可能で、貯遊技媒体の景品交換が可能で、他の遊技種の口座に貯遊技媒体の移行することができることを示している。
【００７８】
また、図３（ｂ）の例は、遊技種が「玉６」、「玉７」、「メダル３」、「メダル４」及び「メダル５」の遊技は遊技媒体の貸出レートが「２円／玉」、「１円／玉」、「１円／枚」、「２０円／枚」、「５円／枚」の遊技に対応し、持遊技媒体口座はなく、貯遊技媒体口座は存在し、台間カード処理機１０で持遊技媒体再プレイ、貯遊技媒体再プレイともに行うことができなくて、再プレイ機での貯遊技媒体再プレイも行うことができなくて、貯遊技媒体の景品交換が可能で、他の遊技種の口座に貯遊技媒体の移行することができることを示している。
【００７９】
図３（ｃ）に示す「遊技媒体貸出レート変更後（所定期間経過後）」に対応する情報は、遊技媒体の貸出レートの変更から所定期間経過後の遊技種ごとの遊技媒体の貸出レート及び当該遊技種ごとの扱いに係る情報である。図３（ｃ）の例は、図３（ｂ）の内容に対して「玉６」、「玉７」、「メダル４」、「メダル５」の遊技種に対応する内容が削除されていることを示しており、遊技媒体の貸出レートの変更から所定期間経過後には当該遊技種の貯遊技媒体も無効化されることを示している。
【００８０】
次に、遊技媒体の貸出レートの変更時の貯遊技媒体口座の残高の移動の内容について図４を用いて説明する。図４は遊技媒体の貸出レートの変更時に、貸出レートの変更前の貯遊技媒体口座の残高を移動する際の、移動元となる貸出レート変更前の貯遊技媒体口座と移動先となる貸出レート変更後の貯遊技媒体口座の対応を示した図である。
【００８１】
図４は、貸出レート変更前において貸出レートが「２．０円／玉」の「玉１」の遊技種の貯遊技媒体は、貸出レート変更後の貸出レートが「２．０円／玉」の「玉６」の遊技種の貯遊技媒体口座に移動することを示している。また、貸出レート変更前において貸出レートが「１．０円／玉」の「玉２」の遊技種の貯遊技媒体は、貸出レート変更後の貸出レートが「１．０円／玉」の「玉７」の遊技種の貯遊技媒体口座に移動することを示している。また、貸出レート変更前において貸出レートが「０．５円／玉」の「玉３」の遊技種の貯遊技媒体は、貸出レート変更後の貸出レートが「０．５円／玉」の「玉５」の遊技種の貯遊技媒体口座に移動することを示している。
【００８２】
また、貸出レート変更前において貸出レートが「２０円／枚」の「メダル１」の遊技種の貯遊技媒体は、貸出レート変更後の貸出レートが「２０円／枚」の「メダル４」の遊技種の貯遊技媒体口座に移動することを示している。また、貸出レート変更前において貸出レートが「５円／枚」の「メダル２」の遊技種の貯遊技媒体は、貸出レート変更後の貸出レートが「５円／枚」の「メダル５」の遊技種の貯遊技媒体口座に移動することを示している。
【００８３】
遊技媒体の貸出レートの変更時の貯遊技媒体の口座間の移動は、同じ遊技媒体の貸出レートの口座間での移動であることから、１遊技媒体当たりの価値は同じであるので、移動元の貯遊技媒体口座の残高を移動先の貯遊技媒体口座の残高に加算して、移動元の貯遊技媒体口座の残高をゼロにクリアすることとなる。また、図３（ｂ）の「遊技媒体貸出レート変更後（所定期間内）」の「玉６」、「玉７」、「メダル４」及び「メダル５」に対応する情報に示すように、移動先の貯遊技媒体口座は貯遊技媒体再プレイが不可で景品交換が可能で他の遊技種に対する貯遊技媒体口座へ移行することが可能であり、図３（ｃ）の「遊技媒体貸出レート変更後（所定期間経過後）」の情報に示すように、「玉６」、「玉７」、「メダル４」及び「メダル５」に対応する遊技種の貯遊技媒体は、遊技媒体の貸出レートの変更から所定期間経過すると無効化される。これは、遊技媒体の貸出レートの変更時にそれまでの貯遊技媒体を景品交換と他の遊技種への移行の可能な貯遊技媒体口座に一旦退避しておいて、所定期間内に景品交換若しくは他の遊技種への移行をすることによって口座残高をゼロにして、所定の期間経過後に一旦退避した貯遊技媒体口座を削除することを可能としている。
【００８４】
次に、遊技媒体の貸出レートの変更時に移動した貯遊技媒体の遊技可能な遊技種の貯遊技媒体口座への移行の内容について図５を用いて説明する。
【００８５】
図５（ａ）は、移行元の貯遊技媒体口座の情報と、主たる移行先となる貯遊技媒体口座の情報と、主たる移行先となる貯遊技媒体口座に移行できない端数の移行先となる貯遊技媒体口座の情報とを含む。移行元の貯遊技媒体口座の情報には、移行元の貯遊技媒体口座に対応する遊技種と、当該遊技種の遊技媒体貸出レート（ｐ）と、移行前の遊技媒体数（ｘ）とを含む。主たる移行先となる貯遊技媒体口座の情報には、主たる移行先の貯遊技媒体口座に対応する遊技種と、当該遊技種の遊技媒体貸出レート（ｑ）と、当該遊技種の貸出単位である遊技媒体数（ｒ）及び当該遊技媒体数に対応する貸出金額（ｓ）と、当該貯遊技媒体口座に移行される遊技媒体数（ｙ）とを含む。端数の移行先となる貯遊技媒体口座の情報には、端数の移行先の貯遊技媒体口座に対応する遊技種と、当該遊技種の遊技媒体貸出レート（ｔ）と、当該貯遊技媒体口座に移行される遊技媒体数（ｚ）とを含む。
【００８６】
図５（ｂ）は、移行元貯遊技媒体口座の移行前遊技媒体数（ｘ）に対する、主たる移行先の貯遊技媒体口座に移行する遊技媒体数（ｙ）及び端数の移行先の貯遊技媒体口座に移行する遊技媒体数（ｚ）の算出方法を示す式である。ｆ（ａ）をａの小数点以下を切り捨てることを示す関数であるとしたならば、主たる移行先の貯遊技媒体口座に移行する貯遊技媒体数（ｙ）は、図５（ａ）に示した情報に基づいて次の式で算出することができる。
【数１】
2015173840.tif 000003
また、端数の移行先の貯遊技媒体口座に移行する遊技媒体数（ｚ）は、図５（ａ）に示した情報に基づいて次の式で算出することができる。
【数２】
2015173840.tif 000004
【００８７】
図５（ａ）に示した、主たる移行先の貯遊技媒体口座に移行する遊技媒体数（ｙ）及び端数の移行先の貯遊技媒体口座に移行する遊技媒体数（ｚ）は、図５（ｂ）に示した算出式で算出した結果である。図５（ａ）は、移行元「玉６」の貯玉口座の「２，０００玉」の貯玉は、主たる移行先である「玉１」の貯玉口座に「１，８５０玉」、端数の移行先である「玉５」の貯玉口座に「８玉」移行されるということを示している。また、図５（ａ）は、移行元「玉７」の貯玉口座の「８００玉」の貯遊技媒体は、主たる移行先である「玉２」の貯玉口座に「７００玉」、端数の移行先である「玉５」の貯玉口座に「８８玉」移行されるということを示している。また、図５（ａ）は、移行元「メダル４」の貯メダル口座の「１，０００枚」の貯メダルは、主たる移行先である「メダル１」の貯メダル口座に「９２５枚」、端数の移行先である「メダル３」の貯メダル口座に「２０枚」移行されるということを示している。また、図５（ａ）は、移行元「メダル５」の貯メダル口座の「７００枚」の貯メダルは、主たる移行先である「メダル２」の貯メダル口座に「６４０枚」、端数の移行先である「メダル３」の貯メダル口座に「４４枚」移行されるということを示している。
【００８８】
図５（ｂ）には、遊技媒体の貸出レートが異なる貯遊技媒体口座間の貯遊技媒体の移行における移行遊技媒体数の算出式を説明したが、本発明はここで説明した算出式に限定されるものではない。例えば、主たる移行先の貯遊技媒体口座への移行数を移行元の価値を上限とする非負のいずれかの整数の中から、端数の移行先の貯遊技媒体口座への移行数が最も小さな非負の整数となるように決定するようにしてもよい。また、例えば、端数の移行先の貯遊技媒体口座の遊技媒体数は小数点以下の端数を許容して、主たる移行先の貯遊技媒体口座への移行数を移行元の価値を上限とする最大の整数として移行して、端数の移行先の貯遊技媒体口座へは残りの端数に応じた値を加算するようにしてもよい。また、その場合、端数の移行先の貯遊技媒体口座の遊技媒体数を使い切る時に、遊技客に確認の上で小数点以下の端数を取り込んでゼロとするようにしてもよい。
【００８９】
次に、図２に示した台間カード処理機１０の外観構成を説明する。図６は、台間カード処理機１０の外観構成を示す図である。なお、図６には、遊技機２０に接続された台間カード処理機１０の外観構成を台間カード処理機１０として示している。また、併設される遊技機２０は、破線で図示している。また、図６では、紙幣のみを受け付ける台間カード処理機１０を図示したが、硬貨受付用のユニットを設けることもできる。
【００９０】
図６に示すように、台間カード処理機１０は、台間カード処理機１０の装置の状態を所定色のランプの点灯あるいは点滅で表示する状態表示部１１と、遊技玉を貸し出す際の各種紙幣を受け付ける紙幣挿入口１２ａとを有する。また、台間カード処理機１０は、タッチパネルディスプレイ等の表示操作部１３と、カードを受け付けるカード挿入口１４ａと、携帯端末等をかざすためのかざし部１４ｂと、遊技玉を遊技機２０に投出するノズルユニット１８ａと、遊技機２０の下皿から落下させた遊技玉を計数する計数ユニット１８ｂとを有する。
【００９１】
次に、図２に示した台間カード処理機１０の本実施例に係る内部構成を説明する。図７は、台間カード処理機１０の本実施例に係る内部構成を示すブロック図である。図７に示すように、台間カード処理機１０は、紙幣搬送部１２と、表示操作部１３と、リーダライタ１４と、かざし部１４ｂと、通信部１５と、記憶部１６と、制御部１７と、ノズルユニット１８ａと、計数ユニット１８ｂとを有する。
【００９２】
紙幣搬送部１２は、紙幣挿入口１２ａから挿入された紙幣の金種及び真偽を判別しつつ図示しない紙幣収納部に搬送する搬送部である。表示操作部１３は、有価価値等の各種情報の表示と、玉貸し操作等の各種操作の受け付けを行なうタッチパネルディスプレイ等の入出力装置である。
【００９３】
リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。かざし部１４ｂは、携帯端末等がかざされた場合に、近距離無線通信によりカードＩＤ等の各種情報を読み取るインタフェースである。
【００９４】
通信部１５は、遊技機２０及び通信回線との間のデータ通信を行なうためのインタフェース部である。ノズルユニット１８ａは、玉貸し又は再プレイにより遊技玉を払い出す際に、その一部又は全ての払い出しに使用される。計数ユニット１８ｂは、遊技玉を計数するユニットである。
【００９５】
記憶部１６は、ハードディスク装置や不揮発性メモリ等からなる記憶デバイスである。記憶部１６は、カードＩＤ１６ａ、有価価値データ１６ｂ、装置ＩＤ１６ｃ、遊技設定データ１６ｄ及びレート変更パラメータ１６ｅを記憶する。
【００９６】
カードＩＤ１６ａは、リーダライタ１４により読み取られたカードＩＤである。カード挿入口１４ａから図示しないカード収納部にカードが搬送される場合には、この搬送途中でリーダライタ１４により読み取られたカードＩＤによってカードＩＤ１６ａが更新される。また、カードが挿入されていない状態で入金が行なわれたならば、図示しないカード収納部からリーダライタ１４にカードが搬送され、リーダライタ１４により読み取られたカードＩＤによってカードＩＤ１６ａが更新される。なお、本実施例ではカードが挿入されていない状態の入金操作で、図示しないカード収納部からリーダライタ１４にカードが搬送され、リーダライタ１４により読み取られたカードＩＤによってカードＩＤ１６ａが更新されるとしたが、これに限定するものではない。最後にカードが排出された時に、図示しないカード収納部の一番上にあるカードをリーダライタ１４に搬送して、カードＩＤを読み取って記憶しておくことによって、遊技客によるカード挿入がされていない状態で入金された場合には、記憶しているカードＩＤでカードＩＤ１６ａを更新するものとしてもよい。
【００９７】
有価価値データ１６ｂは、遊技玉の払い出しを受けるために使用可能な有価価値を示すデータである。この有価価値には、玉貸しに使用可能なプリペイド価値の残高、持遊技媒体口座の残高、貯玉再プレイ用の暗証番号並びに貯遊技媒体口座の残高を含む。
【００９８】
装置ＩＤ１６ｃは、台間カード処理機１０を遊技店内で一意に識別するための識別情報である。遊技設定データ１６ｄは、台間カード処理機１０に設定された遊技種等を示すデータである。遊技店内で複数のレートの遊技玉を扱う場合には、２円／玉の遊技種名に「玉１」、１円／玉の遊技種名に「玉２」、０．５円／玉の遊技種名に「玉３」のように、遊技種ごとに遊技種名を設定して管理している。また、遊技設定データ１６ｄは、設定されている遊技種に対して使用する遊技媒体の種類や当該遊技媒体の貸出単価に係る情報を有する。
【００９９】
レート変更パラメータ１６ｅは、遊技媒体の貸出レートの変更に係る情報であり、貸出レートの変更日や、貸出レート変更前に有していた貯遊技媒体の保存期限などの情報を含む。
【０１００】
制御部１７は、台間カード処理機１０を全体制御する制御部であり、データ管理部１７ａ、計数処理部１７ｂ及びレート変更情報報知部１７ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【０１０１】
データ管理部１７ａは、カードが挿入された場合に、カードＩＤ１６ａ及び装置ＩＤ１６ｃを含むカード挿入通知をカード管理装置４０に送信する。また、データ管理部１７ａは、カード管理装置４０から有価価値（プリペイド価値、持玉及び貯玉の少なくともいずれか）を含むデータを受信した場合に、受信した有価価値により有価価値データ１６ｂを更新する。データ管理部１７ａは、有価価値データ１６ｂに示されたプリペイド価値、持玉及び貯玉の値を適宜表示操作部１３に表示制御する。
【０１０２】
また、データ管理部１７ａは、遊技客により玉貸操作が行なわれた場合に、カードＩＤ１６ａ及び装置ＩＤ１６ｃを含む玉貸要求をカード管理装置４０に送信する。この玉貸要求への応答として玉貸許可を受信したならば、データ管理部１７ａは、所定数の遊技玉を払い出す。
【０１０３】
また、データ管理部１７ａは、遊技客により持玉再プレイ操作が行なわれた場合に、有価価値データ１６ｂに示された持玉口座の残高を所定数減算し、対応する数の遊技玉を払い出す。
【０１０４】
また、データ管理部１７ａは、有価価値データ１６ｂに示された貯玉口座の残高が貯玉再プレイ単位数以上である場合には、表示操作部１３に貯玉再プレイボタンを表示し、貯玉再プレイ操作を受け付け可能とする。データ管理部１７ａは、遊技客により貯玉再プレイ操作が行なわれた場合に、カードＩＤ１６ａ及び装置ＩＤ１６ｃを含む貯玉再プレイ要求をカード管理装置４０に送信する。この貯玉再プレイ要求への応答として貯玉再プレイデータを受信したならば、貯玉口座の残高を更新し、貯玉再プレイ単位数の遊技玉を払い出す。なお、初回の貯玉再プレイ操作時には、暗証番号の入力を求め、有価価値データ１６ｂに示された暗証番号と一致することを貯玉再プレイ要求を送信するための条件とする。
【０１０５】
また、データ管理部１７ａは、遊技客によりカード返却操作が行なわれた場合に、カードＩＤ１６ａ、装置ＩＤ１６ｃ並びに持玉数を含む持玉加算要求をカード管理装置４０に送信して、自装置持玉口座の残高を０にクリアした後、カード排出通知をカード管理装置４０に送信し、カードを排出する。
【０１０６】
また、データ管理部１７ａは、紙幣挿入口１２ａに紙幣が挿入されると、挿入された紙幣の金額、カードＩＤ１６ａ及び装置ＩＤを含む入金通知をカード管理装置４０に送信する。
【０１０７】
レート変更情報報知部１７ｃは、レート変更パラメータ１６ｅに遊技媒体の貸出レートの変更に係る情報が登録されている場合には、遊技客に対して当該貸出レート変更に係る情報の報知を行う。具体的には、貸出レートの変更の以前には、貸出レートの変更となる日程や現状の貯遊技媒体が景品交換用の貯遊技媒体口座に移行される旨の報知が行われる。また、貸出レートの変更後には、貸出レートの変更に伴って貸出レート変更前の貯遊技媒体が景品交換用の貯遊技媒体口座に移行されていること、及び景品交換用の貯遊技媒体口座の有効期限等の情報と、当該景品交換用の貯遊技媒体口座に移行された貯遊技媒体の処置を行うためには景品交換カウンタへの立ち寄りを促すメッセージなどの情報を報知する。また、レート変更情報報知部１７ｃは、これらの報知を行った場合には、貸出レート変更前の変更前報知なのか、貸出レート変更後の変更後報知なのかを示す報知種別と遊技客の識別情報であるカードＩＤを含む報知実施通知を会員管理装置５０に送信する。
【０１０８】
次に、図２に示した台間カード処理機１０の本実施例に係るデータ構成について説明する。図８は、台間カード処理機１０の本実施例に係るデータ構成について説明するための説明図である。
【０１０９】
有価価値データ１６ｂは、カードＩＤ１６ａに関連付けて管理されているプリペイド価値、遊技種ごとの持遊技媒体の残高、貯玉再プレイ用の暗証番号及び遊技種ごとの貯遊技媒体の残高を有する。台間カード処理機１０の有する有価価値データ１６ｂに含まれる持遊技媒体の情報は、カード管理装置４０が管理している遊技種ごとの持遊技媒体の情報をすべて含むが、カード管理装置４０の持遊技媒体口座を管理している遊技種は玉１、玉２、玉３、メダル１及びメダル２の遊技種だけである。また、貯遊技媒体は、実際には会員管理装置５０が遊技種ごとに管理しているが、台間カード処理機１０は、カード管理装置４０を経由して会員管理装置５０の貯遊技媒体の口座残高を取得するので、カード管理装置４０の管理していない遊技種（玉４、玉５、玉６、玉７、メダル３、メダル４、メダル５）の貯遊技媒体口座の残高は把握できないので、有価価値データ１６ｂにもカード管理装置４０の管理していない遊技種（玉４、玉５、玉６、玉７、メダル３、メダル４、メダル５）の貯遊技媒体口座残高に係る情報はない。
【０１１０】
図８の有価価値データ１６ｂの（ａ）は、図１に示した遊技媒体貸出レート変更直前の有価価値データ１６ｂの例を示したものであり、プリペイド価値が「０」円で、玉１の遊技種に対する持玉が「０」玉で、玉２の遊技種に対する持玉が「０」玉で、玉３の遊技種に対する持玉が「０」玉で、メダル１の遊技種に対する持メダルが「０」枚で、メダル２の遊技種に対する持メダルが「０」枚で、貯遊技媒体再プレイ用の暗証番号が「１２３４」で、玉１の遊技種に対する貯玉が「２０００」玉で、玉２の遊技種に対する貯玉が「８００」玉で、玉３の遊技種に対する貯玉が「０」玉で、メダル１の遊技種に対する貯メダルが「１０００」枚で、メダル２の遊技種に対する貯メダルが「７００」枚であることを示している。
【０１１１】
図８の有価価値データ１６ｂの（ｂ）は、図１に示した遊技媒体貸出レート変更後に変更後の貯遊技媒体口座に移行した後の有価価値データ１６ｂの例を示したものであり、プリペイド価値が「０」円で、玉１の遊技種に対する持玉が「０」玉で、玉２の遊技種に対する持玉が「０」玉で、玉３の遊技種に対する持玉が「０」玉で、メダル１の遊技種に対する持メダルが「０」枚で、メダル２の遊技種に対する持メダルが「０」枚で、貯遊技媒体再プレイ用の暗証番号が「１２３４」で、玉１の遊技種に対する貯玉が「１８５０」玉で、玉２の遊技種に対する貯玉が「７００」玉で、玉３の遊技種に対する貯玉が「０」玉で、メダル１の遊技種に対する貯メダルが「９２５」枚で、メダル２の遊技種に対する貯メダルが「６４０」枚であることを示している。
【０１１２】
遊技設定データ１６ｄは、遊技種名と当該遊技種に対応する遊技媒体種と遊技媒体単価とを含む。遊技媒体単価には、遊技媒体数と当該遊技媒体数に対応する税込の価格とを有する。図８の遊技設定データ１６ｄの（ａ）は遊技媒体の貸出レートの変更前の遊技設定データ１６ｄの例を示したものであり、遊技種名が「玉１」で、使用する遊技媒体の種類が「遊技玉」で、遊技媒体単価が遊技媒体数「５０玉」が税込価格「１００円」で有ることを示している。また、図８の遊技設定データ１６ｄの(ｂ)は遊技媒体の貸出レートの変更後の遊技設定データ１６ｄの例を示したものであり、遊技種名が「玉１」で、使用する遊技媒体の種類が「遊技玉」で、遊技媒体単価が遊技媒体数「５０玉」が税込価格「１０８円」で有ることを示している。
【０１１３】
レート変更パラメータ１６ｅは、レート変更適用日と、貸出レートの変更前にあった貯遊技媒体の保存期限と、貸出レートの変更前に遊技客に報知するメッセージの内容と、貸出レートの変更後に遊技客に報知するメッセージの内容とを含む。図８のレート変更パラメータ１６ｅの例は、レート変更適用日が「２０１４／４／１」で、貸出レートの変更前にあった貯遊技媒体の保存期限が「２０１４／９／３０」であることを示している。
【０１１４】
次に、図２に示した台間カード処理機１０の本実施例に係る画面表示内容を図９を用いて説明する。
【０１１５】
図９（ａ）は、遊技媒体の貸出レートの変更が適用される以前に遊技客に事前に貸出レート変更に係る情報を報知した時の画面例である。図９（ａ）に示すように、当該報知画面には、レート変更情報報知部１７ｃがレート変更パラメータ１６ｅに基づいて報知するものであり、報知される内容には遊技媒体の貸出レートが変更になるということ、変更が適用される予定日付、貸出レート変更後の現在の貯遊技媒体の扱いに係る情報などの情報を含む。
【０１１６】
図９（ｂ）は、遊技媒体の貸出レートの変更が適用以降に景品交換用の貯遊技媒体口座に残高を有する遊技客に対して当該景品交換用の貯遊技媒体口座に係る情報を報知した時の画面例である。図９（ｂ）に示すように、当該報知画面には、レート変更情報報知部１７ｃがレート変更パラメータ１６ｅ及び景品交換用の貯遊技媒体口座に残高に基づいて報知するものであり、報知される内容には景品交換用の貯遊技媒体口座に残高、景品交換用の貯遊技媒体口座の有効期限、及び当該景品交換用の貯遊技媒体口座の処置のために景品交換カウンタに立ち寄る旨のメッセージなどの情報を含む。
【０１１７】
また、図９（ａ）及び図９（ｂ）に例示した報知画面に対して遊技客により画面下部に配置される「確認」ボタンが押下されたならば、レート変更情報報知部１７ｃは会員管理装置５０に対して報知種別と遊技客の識別情報であるカードＩＤを含む報知実施通知を送信する。報知実施通知を受け付けた会員管理装置５０は報知履歴をカードＩＤに関連付けて管理する。また、レート変更情報報知部１７ｃは、会員管理装置５０の管理する報知履歴を参照することによって既に遊技客に対して報知済みの情報については同一遊技客への報知を抑制するようにしてもよい。
【０１１８】
次に、図２に示したカード管理装置４０の内部構成を説明する。図１０は、カード管理装置４０の内部構成を示すブロック図である。図１０に示すように、カード管理装置４０は、表示部４１及び入力部４２と接続され、店舗ネットワーク通信部４４、記憶部４５及び制御部４６を有する。
【０１１９】
表示部４１は、液晶パネルやディスプレイ装置等である。入力部４２は、キーボードやマウス等である。店舗ネットワーク通信部４４は、通信回線を介して台間カード処理機１０、会員管理装置５０、景品管理装置６０等とデータ通信するためのインタフェース部である。
【０１２０】
記憶部４５は、ハードディスク装置や不揮発性メモリ等の記憶デバイスであり、カード管理データ４５ａ及び遊技種設定データ４５ｂを記憶する。
【０１２１】
カード管理データ４５ａは、カードＩＤに対し、プリペイド価値の残高と、遊技種ごとの持遊技媒体口座の残高と、該カードが挿入されている台間カード処理機１０のＩＤを示す使用先ＩＤとを対応付けたデータである。遊技種設定データ４５ｂは、遊技種ごとの遊技媒体の種類と、遊技媒体数と当該遊技媒体数に対応する税込価格である遊技媒体単価等の情報を有する。
【０１２２】
制御部４６は、カード管理装置４０を全体制御する制御部であり、カード管理部４６ａ及び遊技種情報取得部４６ｂを有する。実際には、この機能部に対応するプログラムを図示しないＲＯＭや不揮発性メモリに記憶しておき、このプログラムをＣＰＵ（Central Processing Unit）にロードして実行することにより、それぞれに対応するプロセスを実行させることになる。
【０１２３】
カード管理部４６ａは、カード管理データ４５ａの管理を行なう処理部である。具体的には、カード管理部４６ａは、台間カード処理機１０からカード挿入通知を受信した場合には、カード挿入通知に示されたカードＩＤの使用先を、同じくカード挿入通知に示された装置ＩＤとする。また、カード挿入通知に示されたカードＩＤに関連付けられたプリペイド価値と各レートの持玉口座の残高とを有価価値として台間カード処理機１０に通知する。また、挿入されたカードが会員カードである場合には、会員管理装置５０に対してカード挿入通知を転送する。カード管理部４６ａは、台間カード処理機１０から持玉減算要求を受信した場合に、持玉減算要求に示された持玉口座の残高をゼロにクリアしてカード管理データ４５ａを更新する。
【０１２４】
また、カード管理部４６ａは、台間カード処理機１０からカードＩＤを含む玉貸要求を受信した場合に、該カードＩＤに関連付けられたプリペイド価値が所定値以上であるか否かを判定する。プリペイド価値が所定値以上である場合には、カード管理部４６ａは、プリペイド価値を所定値減算してカード管理データ４５ａを更新し、台間カード処理機１０に更新後のプリペイド価値を含む玉貸許可を送信する。一方、プリペイド価値が所定値未満である場合には、カード管理部４６ａは、台間カード処理機１０に玉貸不可を通知する。
【０１２５】
また、カード管理部４６ａは、台間カード処理機１０から金額、カードＩＤ１６ａ及び装置ＩＤ１６ｃを含む入金通知を受信した場合に、該カードＩＤ１６ａに関連付けられたプリペイド価値を入金通知に示された金額に対応する度数分加算して、カード管理データ４５ａを更新する。
【０１２６】
また、カード管理部４６ａは、台間カード処理機１０から貯玉再プレイ要求を受信した場合には、該貯玉再プレイ要求を会員管理装置５０に転送する。また、貯玉再プレイ要求に対する会員管理装置５０からの応答についても、カード管理部４６ａが転送制御を行う。
【０１２７】
また、カード管理部４６ａは、持玉加算要求を受信した場合には、持玉加算要求に示された持玉口座の残高に受信した持玉数を加算して、カード管理データ４５ａを更新する。
また、カード管理部４６ａは、カード排出通知を受信した場合には、該カードＩＤの使用先について値を消去し、カード管理データ４５ａを更新する。
【０１２８】
また、カード管理部４６ａは、景品管理装置６０からカードＩＤを受信したならば、このカードＩＤに対応付けられた各レートの持玉口座の残高を景品管理装置６０に対して通知する。
【０１２９】
遊技種情報取得部４６ｂは、会員管理装置５０から会員管理装置５０の有する遊技種設定データ５５ｂの内容を取得して、カード管理装置４０で扱う遊技種に関する情報を遊技種設定データ４５ｂに記憶させる。
【０１３０】
次に、図２に示したカード管理装置４０の本実施例に係るデータ構成について説明する。図１１は、カード管理装置４０の本実施例に係るデータ構成について説明するための説明図である。
【０１３１】
カード管理データ４５ａは、カードＩＤに関連付けて、該カードＩＤのカードを使用している装置の使用先ＩＤと、プリペイド価値と、持遊技媒体数とを有する。また、持遊技媒体数は、遊技種ごとの持遊技媒体の残高であり、遊技種が玉１、玉２、玉３、メダル１及びメダル２の持遊技媒体の残高を有している。
【０１３２】
図１１のカード管理データ４５ａの例は、カードＩＤ「００００１」のカードが、使用先ＩＤが示す「５００６」の装置で使用中で、プリペイド価値「０」円であり、玉１の持玉数が「０」玉で、玉２の持玉数が「０」玉で、玉３の持玉数が「０」玉で、メダル１の持メダル数が「０」枚で、メダル２の持メダル数が「０」枚であることを示している。また、カードＩＤ「０１００１」のカードが、使用先ＩＤが示す「２００３」の装置で使用中で、プリペイド価値「４０００」円であり、玉１の持玉数が「０」玉で、玉２の持玉数が「０」玉で、玉３の持玉数が「０」玉で、メダル１の持メダル数が「６００」枚で、メダル２の持メダル数が「２００」枚であることを示している。
【０１３３】
遊技種設定データ４５ｂは、遊技種名に関連付けて、当該遊技種に対応する遊技媒体種と遊技媒体単価とをレコードの保有項目とするデータである。遊技媒体単価の情報は遊技媒体数と当該遊技媒体数に対応する遊技媒体貸出の税込価格とを含む。
【０１３４】
図１１の遊技種設定データ４５ｂの（ａ）は、遊技媒体の貸出レート変更前の例を示したものであり、遊技種が「玉１」の遊技は、遊技媒体の種類は「遊技玉」で、「５０玉」の貸出の税込価格が「１００円」で、遊技種が「玉２」の遊技は、遊技媒体の種類は「遊技玉」で、「１００玉」の貸出の税込価格が「１００円」で、遊技種が「玉３」の遊技は、遊技媒体の種類は「遊技玉」で、「１００玉」の貸出の税込価格が「５０円」で、遊技種が「メダル１」の遊技は、遊技媒体の種類は「メダル」で、「５枚」の貸出の税込価格が「１００円」で、遊技種が「メダル２」の遊技は、遊技媒体の種類は「メダル」で、「２０枚」の貸出の税込価格が「１００円」であることを示している。
【０１３５】
図１１の遊技種設定データ４５ｂの（ｂ）は、遊技媒体の貸出レート変更後の例を示したものであり、遊技種が「玉１」の遊技は、遊技媒体の種類は「遊技玉」で、「５０玉」の貸出の税込価格が「１０８円」で、遊技種が「玉２」の遊技は、遊技媒体の種類は「遊技玉」で、「１００玉」の貸出の税込価格が「１０８円」で、遊技種が「玉３」の遊技は、遊技媒体の種類は「遊技玉」で、「１００玉」の貸出の税込価格が「５４円」で、遊技種が「メダル１」の遊技は、遊技媒体の種類は「メダル」で、「５枚」の貸出の税込価格が「１０８円」で、遊技種が「メダル２」の遊技は、遊技媒体の種類は「メダル」で、「２０枚」の貸出の税込価格が「１０８円」であることを示している。
【０１３６】
次に、図２に示した会員管理装置５０の本実施例に係る内部構成を説明する。図１２は、会員管理装置５０の本実施例に係る内部構成を示すブロック図である。図１２に示すように、会員管理装置５０は、表示部５１及び入力部５２と接続される。表示部５１は、液晶パネルやディスプレイ装置等であり、入力部５２は、キーボードやマウス等である。
【０１３７】
また、会員管理装置５０は、外部ネットワーク通信部５３と、店舗ネットワーク通信部５４と、記憶部５５と、制御部５６とを有する。外部ネットワーク通信部５３は、遊技店外のネットワークを介してデータ通信するためのインタフェース部である。店舗ネットワーク通信部５４は、遊技店内の通信回線を介して景品管理装置６０及びカード管理装置４０等とデータ通信するためのインタフェース部である。
【０１３８】
記憶部５５は、ハードディスク装置や不揮発性メモリ等の記憶デバイスであり、会員管理データ５５ａ、遊技種設定データ５５ｂ、景品マスタ５５ｃ、貯遊技媒体移動パラメータ５５ｄ及び貯遊技媒体移行パラメータ５５ｅを記憶する。会員管理データ５５ａは、会員に対して発行した会員カードのカードＩＤに関連づけて、氏名、貯玉、携帯ＩＤｍ、住所、電話番号等を関連付けたデータである。
【０１３９】
遊技種設定データ５５ｂは、遊技種ごとの遊技で使用する遊技媒体の種類や貸出レート、交換レートなどを関連付けたデータである。景品マスタ５５ｃは、遊技玉を景品に交換する際に使用するデータである。
【０１４０】
貯遊技媒体移動パラメータ５５ｄは、遊技媒体の貸出レートの変更を適用する時に、貸出レートの変更前の遊技種ごとに、貯遊技媒体の移動先である貸出レートの変更後の貯遊技媒体口座を設定したデータである。また、貯遊技媒体移行パラメータ５５ｅは、遊技媒体の貸出レートの変更を適用する時に作成した景品交換用の貯遊技媒体口座ごとに、他の遊技種の貯遊技媒体口座へ移行する場合の主たる移行先の貯遊技媒体口座と端数分の移行先の貯遊技媒体口座を設定したデータである。
【０１４１】
制御部５６は、会員管理装置５０を全体制御する制御部であり、会員管理部５６ａ、景品マスタ管理部５６ｂ、遊技種情報設定処理部５６ｃ及び貯遊技媒体移行処理部５６ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【０１４２】
会員管理部５６ａは、会員管理データ５５ａの管理を行なう処理部である。会員管理部５６ａは、カード管理装置４０及び景品管理装置６０と通信して、カードＩＤに関連付けられた貯玉口座の残高を更新する。また、会員管理部５６ａは、台間カード処理機１０から貯玉再プレイ要求を受信したならば、貯玉再プレイ要求に示されたカードＩＤに関連づけられた貯玉口座の残高を所定数減算し、減算後の貯玉口座の残高を含む貯玉再プレイデータを台間カード処理機１０に送信する。また、会員管理部５６ａは、会員登録要求を受け付けた場合には、会員管理データ５５ａに会員を追加する更新を行なう。景品マスタ管理部５６ｂは、景品マスタ５５ｃの更新及び更新を行った場合の景品管理装置６０への配信処理を行う。
【０１４３】
遊技種情報設定処理部５６ｃは、遊技媒体の貸出レートの変更時に、遊技種設定データ５５ｂの変更情報、当該変更によって既存の貯遊技媒体の移動が必要な場合には既存の貯遊技媒体の移動先の貯遊技媒体口座の情報、及び既存の貯遊技媒体を景品交換用の貯遊技媒体口座に一旦移動する場合などについては景品交換用の貯遊技媒体口座に移動された貯遊技媒体の最終移行先となる移行先の貯遊技媒体口座の情報などを受け付けて、遊技種設定データ５５ｂ、貯遊技媒体移動パラメータ５５ｄ及び貯遊技媒体移行パラメータ５５ｅの更新を行う。また、遊技種設定データ５５ｂ、貯遊技媒体移動パラメータ５５ｄ及び貯遊技媒体移行パラメータ５５ｅの更新に引き続いて、遊技種設定データ５５ｂの内容に従って貯遊技媒体口座を更新及び生成して、貯遊技媒体移動パラメータ５５ｄに既存の貯遊技媒体の移動の指定がある場合には、指定に従って貯遊技媒体の移動を行う。
【０１４４】
貯遊技媒体移行処理部５６ｄは、景品管理装置６０からのカードＩＤと移行元の遊技種の情報を含む貯遊技媒体移行要求を受け付けたならば、指示に基づいて貯遊技媒体の移行を行う。具体的には、貯遊技媒体移行依頼に含まれるカードＩＤと移行元の遊技種の情報と貯遊技媒体移行パラメータ５５ｅと遊技種設定データ５５ｂとに基づいて、図５（ｂ）に示した算出式で算出した移行遊技媒体数を移行先の貯遊技媒体口座に加算して、移行元の貯遊技媒体数をゼロにクリアする。
【０１４５】
次に、図２に示した会員管理装置５０の本実施例に係るデータ構成について説明する。図１３及び図１４は、会員管理装置５０の本実施例に係るデータ構成について説明するための説明図である。
【０１４６】
会員管理データ５５ａは、カードＩＤに関連付けて、会員区分、携帯ＩＤｍ、暗証番号、報知状態、会員個人情報及び貯遊技媒体数をレコードの保有項目とするデータである。報知状態は、遊技媒体の貸出レートの変更に係る遊技客への報知が実施済か否かを示す情報である。また、報知状態は、コード化されたデータであって、「０」が遊技客に対する報知がまだ行われていないことを示し、「１」が貸出レートの変更前の事前の報知を実施済であることを示し、「２」が貸出レートの変更後の報知を実施済であることを示す。会員個人情報には、氏名、住所、電話番号、暗証番号などの情報を有する。貯遊技媒体数は遊技種ごとに預け入れられた遊技媒体の数を有している。
【０１４７】
図１３の会員管理データ５５ａの（ａ）は、遊技媒体の貸出レートの変更前の会員管理データ５５ａの例を示したもので、カードＩＤが「００００１」の会員が、会員区分が「正規」の会員で、報知状態が「０」で未報知で、遊技種が玉１の貯玉が「２，０００」玉で、遊技種が玉２の貯玉が「８００」玉で、遊技種が玉３の貯玉が「０」玉で、遊技種が玉４の貯玉が「５００」玉で、遊技種がメダル１の貯メダルが「１，０００」枚で、遊技種がメダル２の貯メダルが「７００」枚であることを示している。
【０１４８】
また、図１３の会員管理データ５５ａの（ｂ）は、遊技媒体の貸出レートの変更後に会員管理データ５５ａの（ａ）に示した貸出レート変更前の貯遊技媒体を貸出レート変更後の貯遊技媒体口座に移行した後の会員管理データ５５ａの例を示したものであり、カードＩＤが「００００１」の会員が、会員区分が「正規」の会員で、報知状態が「２」で遊技媒体の貸出価格変更後の報知を実施済みで、遊技種が玉１の貯玉が「１，８５０」玉で、遊技種が玉２の貯玉が「７００」玉で、遊技種が玉３の貯玉が「９６」玉で、遊技種が玉４の貯玉が「５００」玉で、遊技種が玉５の貯玉が「０」玉で、遊技種がメダル１の貯メダルが「９２５」枚で、遊技種がメダル２の貯メダルが「６４０」枚で、遊技種がメダル３の貯メダルが「６４」枚であることを示している。
【０１４９】
遊技種設定データ５５ｂは、遊技種に関連付けて、遊技媒体種、遊技媒体の単価及び当該遊技種の扱いを示す情報をレコードの保有項目とするデータである。当該遊技種ごとの扱いは、図３で説明した内容であり、遊技種ごとの持遊技媒体口座及び貯遊技媒体口座の有無と、遊技種ごとの台間カード処理機１０での持遊技媒体及び貯遊技媒体の再プレイの可否（利用可否１）と、遊技種ごとの再プレイ機での貯遊技媒体の再プレイの可否（利用可否２）と、遊技種ごとの持遊技媒体及び貯遊技媒体による景品交換の可否（利用可否３）と、遊技種ごとの貯遊技媒体の他遊技種の貯遊技媒体口座への貯遊技媒体の移行の可否（移行可否）の情報を含む。
【０１５０】
図１３の遊技種設定データ５５ｂの（ａ）は、遊技媒体の貸出レートの変更前の遊技種設定データ５５ｂの例を示したもので、遊技種が「玉１」、「玉２」、「玉３」、「玉４」、「メダル１」及び「メダル２」に対する遊技がサービスされていて、遊技種が「玉５」、「玉６」、「玉７」、「メダル３」、「メダル４」及び「メダル５」に対する遊技がサービスされていないことを示している。
【０１５１】
また、図１３の遊技種設定データ５５ｂの（ａ）は、遊技種が「玉１」、「玉２」、「玉３」及び「玉４」の遊技は遊技媒体が「遊技玉」で、遊技種が「メダル１」及び「メダル２」の遊技は遊技媒体が「メダル」で有ることを示している。また、遊技媒体単価は、「玉１」の遊技媒体は「５０玉」を税込価格「１００円」で、「玉２」の遊技媒体は「１００玉」を税込価格「１００円」で、「玉３」の遊技媒体は「１００玉」を税込価格「５０円」で、「玉４」の遊技媒体は「２５玉」を税込価格「１００円」で、「メダル１」の遊技媒体は「５枚」を税込価格「１００円」で、「メダル１」の遊技媒体は「２０枚」を税込価格「１００円」で貸し出すことを示している。また、遊技種が「玉１」、「玉２」、「玉３」、「メダル１」及び「メダル２」の遊技は、利用可否１が「○」で台間カード処理機１０での持遊技媒体再プレイ及び貯遊技媒体再プレイが可能で、利用可否２が「○」で再プレイ機での貯遊技媒体再プレイが可能で、利用可否３が「○」で持遊技媒体及び貯遊技媒体を利用して景品交換が可能であり、移行可否が「×」であり他の貯遊技媒体口座への移行ができないことを示している。また、遊技種が「玉４」の遊技については、遊技種が「玉１」、「玉２」、「玉３」、「メダル１」及び「メダル２」の遊技と比較すると、利用可否１が「×」であり台間カード処理機１０での持遊技媒体再プレイ及び貯遊技媒体再プレイができないこと以外は同じである。本実施例では、台間カード処理機１０が遊技玉を利用した遊技種が３種類を上限としていることによって、「玉４」の遊技については台間カード処理機１０での持遊技媒体再プレイ及び貯遊技媒体再プレイができない例として説明している。
【０１５２】
また、図１３の遊技種設定データ５５ｂの（ｂ）は、遊技媒体の貸出レートの変更後の遊技種設定データ５５ｂの例を示したもので、「玉１」、「玉２」、「玉３」、「メダル１」及び「メダル２」は遊技種設定データ５５ｂの（ａ）の同じ遊技種の設定に対して遊技媒体単価のみが変更となっている。
【０１５３】
また、遊技種設定データ５５ｂの（ｂ）の「玉５」、「玉６」、「玉７」、「メダル４」及び「メダル５」は、それぞれ遊技種設定データ５５ｂの（ａ）の「玉３」、「玉１」、「玉２」、「メダル１」及び「メダル２」の遊技媒体単価と同じ値として、貸出レート変更前の「玉３」、「玉１」、「玉２」、「メダル１」及び「メダル２」の貯遊技媒体の、貸出レート変更時の移動先である。また、遊技種設定データ５５ｂの（ｂ）の「玉６」、「玉７」、「メダル４」及び「メダル５」は、景品交換用の貯遊技媒体口座であるので利用可否１及び利用可否２は「×」であり再プレイで使用することはできない。また、「玉６」、「玉７」、「メダル４」及び「メダル５」のは、所定期間経過後は削除される遊技種であることから、所定期間内に景品交換を可能とするように利用可否３に「○」、他の貯遊技媒体口座への移行が可能なように移行可否に「○」が設定される。また、遊技種設定データ５５ｂの（ｂ）の「玉５」については、「玉６」、「玉７」、「メダル４」及び「メダル５」の位置づけと比較すると、それぞれの貯遊技媒体口座が貸出レート変更時に変更前の貯遊技媒体を一旦移動する先となる点については同等であるが、貸出レートの変更後においても当該遊技種の遊技が存在して貯遊技媒体再プレイで貯遊技媒体を遊技に使用することができることから利用可否２に「○」が設定される。
【０１５４】
また、遊技種設定データ５５ｂの（ｂ）の「メダル３」は、貸出レート変更時点で一旦景品交換用の貯遊技媒体口座（「メダル４」及び「メダル５」の貯遊技媒体口座）に移動した貯遊技媒体を最終的に、貸出レートの変更後の貯遊技媒体口座（「メダル１」及び「メダル２」の貯遊技媒体口座）に移行する際に発生する端数を移行させるための貯遊技媒体口座に対応する遊技種であり、当該遊技種の貯遊技媒体については利用可否３が「○」であり景品交換に使用可能で、移行可否が「○」であり他のレートへの移行も可能であることを示している。
【０１５５】
また、遊技種設定データ５５ｂの（ｂ）設定上には現れないが「玉５」についても、貸出レート変更時点で一旦景品交換用の貯遊技媒体口座（「玉６」、「玉７」及び「玉５」の貯遊技媒体口座）に移動した貯遊技媒体を最終的に、貸出レートの変更後の貯遊技媒体口座（「玉１」、「玉２」及び「玉３」の貯遊技媒体口座）に移行する際に発生する端数を移行させるための貯遊技媒体口座に対応する遊技種も兼ねる。
【０１５６】
図１４の景品マスタ５５ｃは、景品を一意に識別する景品コードに対し、景品名、群コード、景品価値及び交換遊技媒体数を関連付けたデータである。ここで、群コードは景品を分類して管理する為の識別情報である。群コード「０１」は、一定の手続きを経て所定の価値で譲渡可能な特殊景品を示す。群コード「０２」以降は、特殊景品以外の日用品などを含む一般景品である。
【０１５７】
図１４の景品マスタ５５ｃの例は、景品コード「０００１」に対し、景品名「大景品」、群コード「０１」、景品価値「１０００」、玉４円の交換玉数「２５０」、玉２円の交換玉数「５００」、玉１円の交換玉数「１０００」、メダル２０円の交換メダル数「５０」並びにメダル５円の交換メダル数「２００」を関連付けている。
【０１５８】
また、図１４の景品マスタ５５ｃの例は、景品コード「０００２」に対し、景品名「小景品」、群コード「０１」、景品価値「１００」、玉４円の交換玉数「２５」、玉２円の交換玉数「５０」、玉１円の交換玉数「１００」、メダル２０円の交換メダル数「５」並びにメダル５円の交換メダル数「２０」を関連付けている。
【０１５９】
貯遊技媒体移動パラメータ５５ｄは、遊技媒体の貸出レートの変更前の遊技種と、遊技媒体の貸出レートの変更時の当該遊技種の貯遊技媒体の移動先の貯遊技媒体口座の遊技種とを対応付けたデータである。図１４の貯遊技媒体移動パラメータ５５ｄは、貸出レートの変更前の遊技種が「玉１」の遊技媒体は、貸出レートの変更後の遊技種が「玉６」の貯遊技媒体口座に移動し、貸出レートの変更前の遊技種が「玉２」の遊技媒体は、貸出レートの変更後の遊技種が「玉７」の貯遊技媒体口座に移動し、貸出レートの変更前の遊技種が「玉３」の遊技媒体は、貸出レートの変更後の遊技種が「玉５」の貯遊技媒体口座に移動し、貸出レートの変更前の遊技種が「玉４」の遊技媒体は、貸出レートの変更後の遊技種が「玉４」の貯遊技媒体口座に移動し、貸出レートの変更前の遊技種が「メダル１」の遊技媒体は、貸出レートの変更後の遊技種が「メダル４」の貯遊技媒体口座に移動し、貸出レートの変更前の遊技種が「メダル２」の遊技媒体は、貸出レートの変更後の遊技種が「メダル５」の貯遊技媒体口座に移動することを示している。
【０１６０】
貯遊技媒体移行パラメータ５５ｅは、遊技媒体の貸出レートの変更を適用時に作成した景品交換用の貯遊技媒体口座の遊技種と、他の遊技種の貯遊技媒体口座へ移行する場合の主たる移行先の貯遊技媒体口座の遊技種と、端数分の移行先の貯遊技媒体口座の遊技種とを対応付けたデータである。
【０１６１】
図１４の貯遊技媒体移行パラメータ５５ｅは、「玉６」の遊技種の貯遊技媒体の移行先は、主たる移行先を「玉１」、端数分の移行先を「玉５」の遊技種の貯遊技媒体口座とし、「玉７」の遊技種の貯遊技媒体の移行先は、主たる移行先を「玉２」、端数分の移行先を「玉５」の遊技種の貯遊技媒体口座とし、「メダル４」の遊技種の貯遊技媒体の移行先は、主たる移行先を「メダル１」、端数分の移行先を「メダル３」の遊技種の貯遊技媒体口座とし、「メダル５」の遊技種の貯遊技媒体の移行先は、主たる移行先を「メダル２」、端数分の移行先を「メダル３」の遊技種の貯遊技媒体口座とすることを示している。
【０１６２】
次に、図２に示した景品管理装置６０の外観構成について説明する。図１５は、図２に示した景品管理装置６０の外観構成を示す図である。図１５に示すように、景品管理装置６０は、遊技店員用の筐体と遊技客用の筐体とを通信線により接続した構成を有する。遊技店員用の筐体には、店側表示部６１、操作部６２、レシート発行部６３、カードリーダ６７ａ及び店員タグリーダ６７ｂが設けられている。遊技客用の筐体には客側表示部６４及び携帯端末リーダ６７ｃが設けられている。
【０１６３】
遊技店員は、遊技客が提示したカードをカードリーダ６７ａにかざすことにより、該カードからカードＩＤを読み取らせ、カードＩＤに対応付けられた持玉及び貯玉の残高を特定する。このように特定した残高は、特殊景品又は一般景品との景品交換に使用される。遊技店員は、自身の店員タグを店員タグリーダ６７ｂにかざすことにより、権限の認証を受けることができる。
【０１６４】
店側表示部６１は、操作者である遊技店員用の表示部兼操作部であり、タッチパネルカラー液晶ディスプレイ等からなる。この店側表示部６１には、景品交換内容や操作ガイダンスなどが表示される。操作部６２は、テンキー、専用キー及びモードキー等の複数のキーからなり、景品交換操作入力などを行う際に使用される。
【０１６５】
レシート発行部６３は、登録リストや集計リストの各種レシートを発行処理する発行部であり、感熱式プリンタ等からなる。
【０１６６】
遊技客用の筐体に設けられた客側表示部６４は、蛍光表示管やタッチパネルカラー液晶ディスプレイ等からなる。遊技客は、この客側表示部６４の表示内容を確認することにより、カードに対応付けられる持玉や貯玉の残高を確認することができる。さらに、客側表示部６４は、上位の装置（例えばカード管理装置４０）からイベント情報などを設定データとして通知された場合には、該イベント情報を表示することができる。また、客側表示部６４は、貯玉を使用する際の暗証番号の入力にも使用される。携帯端末リーダ６７ｃは、会員カードとして使用可能な携帯端末がかざされた場合に、該携帯端末からカードＩＤに対応する情報を読み取る。このカードＩＤに対応する情報により、持玉数及び貯玉数が特定される。
【０１６７】
次に、図２に示した景品管理装置６０の内部構成について説明する。図１６は、図２に示した景品管理装置６０の内部構成を示すブロック図である。図１６に示すように、この景品管理装置６０は、通信回線に接続されている。景品管理装置６０は、すでに説明した店側表示部６１、操作部６２、レシート発行部６３、客側表示部６４、カードリーダ６７ａ、店員タグリーダ６７ｂ及び携帯端末リーダ６７ｃと、記憶部６５と、制御部６６と、通信部６８とを有する。通信部６８は、景品管理装置６０が通信回線と通信するためのインタフェース部である。
【０１６８】
記憶部６５は、ハードディスク装置や不揮発性メモリ等の記憶デバイスであり、景品マスタ６５ａを記憶する。景品マスタ６５ａは、遊技玉を景品に交換する際に使用するデータであり、会員管理装置５０から受信して記憶したデータである。
【０１６９】
制御部６６は、景品管理装置６０を全体制御する制御部であり、景品管理部６６ａ、景品交換処理部６６ｂ、予約処理部６６ｃ及び貯遊技媒体移行処理部６６ｄを有する。実際には、これらの機能部に対応するプログラムを図示しないＲＯＭ等の不揮発性メモリに記憶しておき、これらのプログラムをＣＰＵ（Central Processing Unit）にロードして実行することにより実現される。
【０１７０】
景品管理部６６ａは、記憶部６５に記憶した景品マスタ６５ａを用いて景品管理装置６０の取扱対象となる特殊景品、一般景品の交換玉数等を管理する管理部である。景品管理部６６ａは、会員管理装置５０から景品マスタ５５ｃを取得し、記憶部６５に景品マスタ６５ａとして格納する。
【０１７１】
景品交換処理部６６ｂは、カードリーダ６７ａにより読み取ったカードＩＤをカード管理装置４０に送信し、カードＩＤに関連付けられた持玉及び貯玉の残高を取得する。景品交換処理部６６ｂは、持玉及び貯玉の残高の範囲内で、景品マスタ６５ａに基づいて特殊景品及び一般景品の景品交換処理を行う。
【０１７２】
具体的には、景品交換処理部６６ｂは、特殊景品の交換処理を指定された場合には、持玉及び貯玉の残高の範囲内で交換可能な特殊景品の種類及び数の組み合わせを求め、交換に必要な玉数を持玉及び貯玉の残高より減算する。また、景品交換処理部６６ｂは、特殊景品以外の一般景品の交換処理を行う場合には、操作部６２の操作により指定された景品を交換景品として、交換に必要な玉数を持玉及び貯玉の残高より減算する。なお、予約処理部６６ｃにより交換景品が指定されたならば、遊技客による交換景品の指定を省略することができる。
【０１７３】
予約処理部６６ｃは、景品交換処理部６６ｂがカードＩＤをカード管理装置４０に送信した際に、カードＩＤに関連付けられた持玉及び貯玉の残高とともに、景品交換予約データを受信したならば、景品交換予約データに示された景品を交換景品として指定し、景品交換処理部６６ｂに出力する。
【０１７４】
また、予約処理部６６ｃは、カード管理装置４０から景品交換予約データを受信し、その配達の依頼を受け付けたならば、店側表示部６１に配達に必要な情報を表示し、遊技店員に報知する。具体的には、配達すべき景品及び数と、配達先となる台間カード処理機１０の位置を示す情報とを表示する。また遊技店員の注意を喚起するため、所定の音による報知をさらに行ってもよい。
【０１７５】
貯遊技媒体移行処理部６６ｄは、遊技媒体の貸出レートの変更にともなって貸出レート変更前の貯遊技媒体が景品交換用の貯遊技媒体口座に移動された遊技客からの景品交換用の貯遊技媒体口座の貯遊技媒体の貸出レート変更後の遊技種の貯遊技媒体口座への移行の依頼を受け付けて、会員管理装置５０に会員のカードＩＤ、移行元の貯遊技媒体口座を特定する遊技種を含む貯遊技媒体移行要求を送信する。
【０１７６】
次に、図２に示した会員管理装置５０における遊技媒体貸出レートの変更に伴う貯遊技媒体の移動処理の処理手順を説明する。図１７は、会員管理装置５０における遊技媒体貸出レートの変更に伴う貯遊技媒体の移動処理の処理手順を示すフローチャートである。
【０１７７】
遊技種情報設定処理部５６ｃは、遊技媒体の貸出レートの変更に対応する遊技種設定データ５５ｂの変更内容を受け付けて遊技種設定データ５５ｂの更新を行う（ステップＳ１０１）。また、遊技種情報設定処理部５６ｃは、遊技媒体の貸出レートの変更に応じた既存の貯遊技媒体の遊技種ごとの移動先となる貯遊技媒体口座の指定を受け付けて、貯遊技媒体移動パラメータ５５ｄの設定を行う（ステップ１０２）。
【０１７８】
また、遊技種情報設定処理部５６ｃは、ステップＳ１０２の設定に従って貯遊技媒体を移動した貯遊技媒体口座から、さらに貸出レート変更の反映された貯遊技媒体口座に移行する際の、移行元の貯遊技媒体口座の遊技種ごとの主たる移行先と端数の移行先の遊技種の情報を受け付けて、受け付けた内容に基づいて貯遊技媒体移行パラメータ５５ｅの設定を行う（ステップ１０３）。
【０１７９】
次に、遊技種情報設定処理部５６ｃは、ステップＳ１０１で更新した遊技種設定データ５５ｂに従って遊技種ごとの貯遊技媒体を管理する貯遊技媒体口座を生成する（ステップＳ１０４）。ステップＳ１０２で設定した貯遊技媒体移動パラメータ５５ｄで遊技媒体の移動が指定されている貯遊技媒体口座の中でまだ移動されていない貯遊技媒体がある場合（ステップＳ１０５；Ｙｅｓ）には、遊技種情報設定処理部５６ｃは、貯遊技媒体移動パラメータ５５ｄに従って貸出レート変更前の貯遊技媒体をステップＳ１０４で生成した貸出レート変更後の貯遊技媒体口座への移動を実施して（ステップＳ１０６）、ステップＳ１０５に戻る。
【０１８０】
ステップＳ１０２で設定した貯遊技媒体移動パラメータ５５ｄで遊技媒体の移動が指定されている貯遊技媒体口座の中でまだ移動されていない貯遊技媒体がない場合（ステップＳ１０５；Ｎｏ）には、処理を終了する。
【０１８１】
次に、図２に示した台間カード処理機１０及び会員管理装置５０における遊技媒体の貸出レートの変更時に移動した貯遊技媒体の遊技可能な遊技種の貯遊技媒体口座への移行処理の処理手順を説明する。図１８は、台間カード処理機１０及び会員管理装置５０における遊技媒体の貸出レートの変更時に移動した貯遊技媒体の遊技可能な遊技種の貯遊技媒体口座への移行処理の処理手順を示すフローチャートである。
【０１８２】
まず、景品管理装置６０のカードリーダ６７ａで会員カードのカードＩＤの読み込みを受け付けたならば（ステップＳ２０１；Ｙｅｓ）、景品管理装置６０は会員管理装置５０に読み込んだカードＩＤを含むカード挿入通知を送信する（ステップＳ２０２）。また、会員カードの読み込みを受け付けていない場合（ステップＳ２０１；Ｎｏ）には、処理を終了する。
【０１８３】
会員管理装置５０は、景品管理装置６０からのカード挿入通知を受け付けたならば（ステップＳ３０１；Ｙｅｓ）、会員管理部５６ａは、カード挿入通知に含まれるカードＩＤに関連付けられた遊技種ごとの貯遊技媒体の残高を含む会員に係る情報と、貯遊技媒体移行パラメータ５５ｅの内容とを景品管理装置６０に返信する（ステップＳ３０２）。景品管理装置６０からのカード挿入通知を受け付けていない場合（ステップＳ３０１；Ｎｏ）にはステップＳ３０３に移行する。
【０１８４】
景品管理装置６０は、会員管理装置５０からの会員に係る情報と貯遊技媒体移行パラメータ５５ｅの内容とを受け付けて一旦記憶する（ステップＳ２０３）。貯遊技媒体移行処理部６６ｄは、ステップＳ２０３で受け付けた会員の遊技種ごとの貯遊技媒体残高と、貯遊技媒体移行パラメータ５５ｅの内容とに従って、遊技客に移行要否の確認を行っていない遊技種の内で貯遊技媒体口座間の貯遊技媒体の移行が可能で貯遊技媒体残がある遊技種があるのか否かの判定を行う（ステップＳ２０４）。ステップＳ２０４の判定の結果、まだ遊技客に移行要否の確認を行っていない遊技種の内で、貯遊技媒体口座間の貯遊技媒体の移行が可能で貯遊技媒体残がある遊技種がある場合（ステップＳ２０４；Ｙｅｓ）には、遊技客に実施の要否について未確認となっている貯遊技媒体口座間の移行の移行元及び移行先に係る情報を表示して移行するか否かの遊技客判断を受け付ける（ステップＳ２０５）。ステップＳ２０４の判定の結果、まだ遊技客に移行要否の確認を行っていない遊技種がない場合（ステップＳ２０４；Ｎｏ）には、ステップＳ２０９に移行する。
【０１８５】
ステップＳ２０５で、遊技客の移行を行う旨の確認を受け付けたならば（ステップＳ２０６；Ｙｅｓ）、貯遊技媒体移行処理部６６ｄは、カードＩＤ及び移行元の遊技種の識別情報を含む貯遊技媒体移行要求を会員管理装置５０に送信して応答の待ち合わせを行う（ステップＳ２０７）。移行を行う旨の確認を受け付けなければ（ステップＳ２０６；Ｎｏ）、ステップＳ２０４に移行する。
【０１８６】
景品管理装置６０から貯遊技媒体移行要求を受け付けたならば（ステップＳ３０３；Ｙｅｓ）、会員管理装置５０の貯遊技媒体移行処理部５６ｄは、貯遊技媒体移行要求に含まれるカードＩＤに対応する遊技客の、貯遊技媒体移行要求に含まれる遊技種に対応する貯遊技媒体を、貯遊技媒体移行パラメータ５５ｅに設定されている主たる移行先及び端数の移行先の示す遊技種の貯遊技媒体口座に移行して（ステップＳ３０４）、景品管理装置６０に貯遊技媒体の移行要求に対する応答の送信を行って（ステップＳ３０５）、処理を終了する。また、貯遊技媒体移行要求を受け付けていない（ステップＳ３０３；Ｎｏ）場合にも、処理を終了する。
【０１８７】
景品管理装置６０の貯遊技媒体移行処理部６６ｄは、会員管理装置５０からの貯遊技媒体の移行要求に対する応答を受け付けたならば、当該応答に含まれる貯遊技媒体の移行処理の結果を表示して（ステップＳ２０８）、ステップＳ２０４に戻る。
【０１８８】
景品管理装置６０においては、貯遊技媒体を利用して景品交換を行う場合（ステップＳ２０９；Ｙｅｓ）には、貯遊技媒体を利用した景品交換処理を行って（ステップＳ２１０）、処理を終了する。また、貯遊技媒体を利用しての景品交換を行わない場合（ステップＳ２０９；Ｎｏ）には、処理を終了する。
【０１８９】
上述してきたように、遊技媒体の貸出レートの変更時に、変更後の貸出レートに対応する貯遊技媒体口座と、変更前の貸出レートに対応する景品交換用の貯遊技媒体口座と、景品交換用の貯遊技媒体口座から変更後の貸出レートに対応する貯遊技媒体口座に移行する際に発生する端数を取り扱う端数取扱用の貯遊技媒体口座とを設けて、貸出レート変更前の貯遊技媒体を変更前の貸出レートに対応した景品交換用の貯遊技媒体口座に移動するようにした。また、所定の移行期間を設けて景品交換用の貯遊技媒体口座に移動された遊技媒体を貸出レートに応じて等価となるように変更後の貸出レートに対応する貯遊技媒体口座及び端数取扱用の貯遊技媒体口座に移行できるようにして、所定の移行期間経過後には景品交換用の貯遊技媒体口座を削除するよう構成したので、遊技媒体の貸出レートの変更が行われる場合に、貸出レート変更後の遊技店の運営及び管理に係るコストの増加を抑制しつつ、貸出レート変更前の貯遊技媒体を適切かつ効率的に処置することができる。
【０１９０】
なお、上述の本実施例では、遊技媒体の貸出レートの変更タイミングで貸出レートの変更前の貯遊技媒体を景品交換用の貯遊技媒体口座に移動させて、遊技媒体の貸出レートの変更以降に遊技客の来店時に遊技客の確認をもって貸出レート変更後の貯遊技媒体口座に移行するという２段階での移行であったが、本発明はこれに限定されない。例えば、遊技媒体の貸出レートの変更の以前に、貸出レートの変更前の貯遊技媒体を主たる移行先を貸出レート変更後の貯遊技媒体口座として、端数を所定の貯遊技媒体口座に移行することを予告して、遊技媒体の貸出レートの変更タイミングで貸出レートの変更前の貯遊技媒体を主たる移行先である貸出レート変更後の貯遊技媒体口座と、端数の移行先の貯遊技媒体口座に一括で移行するようにしてもよい。また、例えば、遊技媒体の貸出レートの変更の以前に、貸出レートの変更前の貯遊技媒体を主たる移行先を貸出レート変更後の貯遊技媒体口座として、端数を所定の貯遊技媒体口座に移行することを予告して、移行することの確認を行い確認がとれた遊技客については遊技媒体の貸出レートの変更タイミングで貸出レートの変更前の貯遊技媒体を主たる移行先である貸出レート変更後の貯遊技媒体口座と、端数の移行先の貯遊技媒体口座に一括で移行し、確認が取れなかった遊技客については実施例で説明したように、遊技媒体の貸出レートの変更タイミングで貸出レートの変更前の貯遊技媒体を景品交換用の貯遊技媒体口座に移動させて、遊技媒体の貸出レートの変更以降に遊技客の来店時に遊技客の確認をもって貸出レート変更後の貯遊技媒体口座に移行するようにしてもよい。
【０１９１】
また、上述の本実施例では、遊技媒体の貸出レートの変更後に景品交換用の貯遊技媒体口座に移行された貯遊技媒体を、さらに貸出レート変更後の遊技種に対応する貯遊技媒体口座に移行する場合に景品管理装置６０においてその確認を行うとの説明を行ったが、本発明は移行の確認を景品管理装置６０で行うことに限定するものではない。例えば、遊技媒体の貸出レートの変更後に景品交換用の貯遊技媒体口座に移行された貯遊技媒体の貸出レート変更後の遊技種に対応する貯遊技媒体口座に移行の確認及び移行の指示を台間カード処理機１０において実施するようにしてもよい。
【０１９２】
また、上述の本実施例では、遊技媒体の貸出レートの変更後に景品交換用の貯遊技媒体口座に移行された貯遊技媒体を、遊技客の確認を行ったうえで貯遊技媒体移行パラメータ５５ｅに設定された移行先の貯遊技媒体口座に移行するものとしたが、本発明はこれに限定されるものではない。例えば、移行先の貯遊技媒体口座を遊技客の選択が許容される移行元の貯遊技媒体口座ごとの移行先の貯遊技媒体口座を設定しておいて、遊技客の移行先の貯遊技媒体口座の指定を受け付けるようにして、遊技客の指定に従って移行するようにしてもよい。
【０１９３】
また、上述の実施例では、遊技媒体を遊技機２０もしくは台間カード処理機１０のノズルユニット１８ａから払い出しを行う開放式の遊技機２０を対象に説明を行ってきたが、本発明はこれに限定されるものではなく、遊技媒体の実物の払い出しを行わずに遊技に使用可能な遊技媒体の数をデータとして管理する封入式の遊技機であってもよい。
【０１９４】
また、上述の実施例では、遊技玉を遊技媒体とする遊技機２０及び該遊技機２０に対応する台間装置に関する実施例を説明したが、本発明はこれに限定されるものではなく、遊技玉以外の任意の遊技媒体を使用する遊技機に対応する台間装置における遊技媒体の貸出処理や遊技媒体の貸出に係る入金処理についても適用可能である。
【０１９５】
また、上述の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１９６】
以上のように、本発明に係る遊技媒体管理システム及び遊技媒体管理方法は、遊技媒体の貸出レートの変更が行われる場合に、貸出レート変更後の遊技店の運営及び管理に係るコストの増加を抑制しつつ、貸出レート変更前の貯遊技媒体を適切かつ効率的に処置することに適している。
【符号の説明】
【０１９７】
１０  台間カード処理機
１１  状態表示部
１２  紙幣搬送部
１２ａ  紙幣挿入口
１３  表示操作部
１４  リーダライタ
１４ａ  カード挿入口
１４ｂ  かざし部
１５、６８  通信部
１６、４５、５５、６５  記憶部
１６ａ  カードＩＤ
１６ｂ  有価価値データ
１６ｃ  装置ＩＤ
１６ｄ  遊技設定データ
１６ｅ  レート変更パラメータ
１７、４６、５６、６６  制御部
１７ａ  データ管理部
１７ｂ  計数処理部
１７ｃ  レート変更情報報知部
１８ａ  ノズルユニット
１８ｂ  計数ユニット
２０  遊技機
３０  島コントローラ
４０  カード管理装置
４１、５１  表示部
４２、５２  入力部
４４、５４  店舗ネットワーク通信部
４５ａ  カード管理データ
４５ｂ、５５ｂ  遊技種設定データ
４６ａ  カード管理部
４６ｂ  遊技種情報取得部
５０  会員管理装置
５３  外部ネットワーク通信部
５５ａ  会員管理データ
５５ｃ、６５ａ  景品マスタ
５５ｄ  貯遊技媒体移動パラメータ
５５ｅ  貯遊技媒体移行パラメータ
５６ａ  会員管理部
５６ｂ  景品マスタ管理部
５６ｃ  遊技種情報設定処理部
５６ｄ、６６ｄ  貯遊技媒体移行処理部
６０  景品管理装置
６１  店側表示部
６２  操作部
６３  レシート発行部
６４  客側表示部
６６ａ  景品管理部
６６ｂ  景品交換処理部
６６ｃ  予約処理部
６７ａ  カードリーダ
６７ｂ  店員タグリーダ
６７ｃ  携帯端末リーダ
８０  精算機
【図１】
2015173840.tif 000005
【図２】
2015173840.tif 000006
【図３】
2015173840.tif 000007
【図４】
2015173840.tif 000008
【図５】
2015173840.tif 000009
【図６】
2015173840.tif 000010
【図７】
2015173840.tif 000011
【図８】
2015173840.tif 000012
【図９】
2015173840.tif 000013
【図１０】
2015173840.tif 000014
【図１１】
2015173840.tif 000015
【図１２】
2015173840.tif 000016
【図１３】
2015173840.tif 000017
【図１４】
2015173840.tif 000018
【図１５】
2015173840.tif 000019
【図１６】
2015173840.tif 000020
【図１７】
2015173840.tif 000021
【図１８】
2015173840.tif 000022